(57)【要約】      （修正有）【課題】スポーツ活動中に使用される靴を提供する。【解決手段】非対称な一足の靴であって、非対称な一足の靴は：第１のアッパーと、第１のアッパーに取り付けられた第１のソールとを有する第１の靴であって、第１のアッパーは、着用者の第１の足の第１の所定の動きのパフォーマンス中に第１のアッパーの少なくとも１つの部分に増大した支持を提供するように構成された第１の支持特徴を備え、第１のソールは、第１の足の第１の所定の動きのパフォーマンス中に第１のソールの少なくとも１つの部分に増大した牽引を提供するように構成された第１の牽引特徴を備える、第１の靴と；第２のアッパーと、第２のアッパーに取り付けられた第２のソールとを有する第２の靴であって、第１の支持特徴および第１の牽引特徴は、第２の靴の対応する鏡像位置に存在しない、第２の靴とを備える、非対称な一足の靴。【選択図】図１
2016019735.tif 000002
【特許請求の範囲】
【請求項１】
非対称な一足の靴であって、該非対称な一足の靴は、
第１のアッパーと、該第１のアッパーに取り付けられた第１のソールとを有する第１の靴であって、該第１のアッパーは、着用者の第１の足の第１の所定の動きのパフォーマンス中に該第１のアッパーの少なくとも１つの部分に増大した支持を提供するように構成された第１の支持特徴を備え、該第１のソールは、該第１の足の該第１の所定の動きのパフォーマンス中に該第１のソールの少なくとも１つの部分に増大した牽引を提供するように構成された第１の牽引特徴を備える、第１の靴と、
第２のアッパーと、該第２のアッパーに取り付けられた第２のソールとを有する第２の靴であって、該第１の支持特徴および第１の牽引特徴は、該第２の靴の対応する鏡像位置に存在しない、第２の靴と
を備える、非対称な一足の靴。
【請求項２】
前記第１の支持特徴は、前記第１のアッパーの足の前部領域に対して側部中央に位置する第１の向上した支持区域を備え、該第１の向上した支持区域は、該第１のアッパーの他の領域より強くより可撓性がある、請求項１に記載の非対称な一足の靴。
【請求項３】
前記第１の向上した支持区域は、前記第１のアッパーの側部の足の前部領域をカバーするエナジースリングを備え、該エナジースリングは、該側部の足の前部領域の伸縮およびリバウンド特性のうちの少なくとも１つを向上させる一方で該側部の足の前部領域に増大した強度を提供する少なくとも１つの材料から作られる、請求項２に記載の非対称な一足の靴。
【請求項４】
前記少なとも１つの材料は、ゴムおよび熱可塑性ポリウレタンのうちの少なくとも１つを備える、請求項３に記載の非対称な一足の靴。
【請求項５】
前記第１の向上した支持区域は、前記第１のアッパーの側部中央領域をカバーする第１のサドルをさらに備え、該第１のサドルは、該第１のアッパーの該側部中央領域の伸縮およびリバウンド特性のうちの少なくとも１つを向上させる一方で該第１のアッパーの該側部中央領域に増大した強度を提供する少なくとも１つの材料から作られる、請求項３に記載の非対称な一足の靴。
【請求項６】
前記第１のアッパーは、前記第１の向上した支持区域の表面領域を増大させるために該第１のアッパーの内側面により近接してオフセットされているクロージャーをさらに備える、請求項２に記載の非対称な一足の靴。
【請求項７】
前記第１の牽引特徴は、前記第１のソールの底面上に長手方向グルーブを備え、該長手方向グルーブは、該第１のソールの長さに実質的にわたっている、請求項１に記載の非対称な一足の靴。
【請求項８】
前記長手方向グルーブは、前記第１のソールの長さの少なくとも７５％の長さにわたっている、請求項７に記載の非対称な一足の靴。
【請求項９】
前記長手方向グルーブは、該長手方向グルーブに沿って屈曲することをさらに容易にする少なくとも１つの切欠き部分を備える、請求項７に記載の非対称な一足の靴。
【請求項１０】
前記第１の支持特徴は、前記第１のアッパーのヒール領域上に位置する第１のヒールカウンターを備え、該第１のアッパーの該ヒール領域の内側面上に位置する該第１のヒールカウンターの内側部分は、該第１のアッパーの該ヒール領域の側部面上に位置する該第１のヒールカウンターの側部部分より大きい、請求項１に記載の非対称な一足の靴。
【請求項１１】
前記第２のアッパーは、前記着用者の第２の足の第２の所定の動きのパフォーマンス中に該第２のアッパーの少なくとも１つの部分に増大した支持を提供するように構成された第２の支持特徴を備え、前記第２のソールは、該第２の所定の動きのパフォーマンス中に該第２のソールの少なくとも１つの部分に増大した牽引を提供するように構成された第２の牽引特徴を備え、前記第１の足の前記第１の所定の動きは、該第２の足の該第２の所定の動きと異なり、該第２の支持特徴および該第２の牽引特徴は、前記第１の靴の対応する鏡像位置に存在しない、請求項１に記載の非対称な一足の靴。
【請求項１２】
前記第２の支持特徴は、前記第２のアッパーのヒール位置に対して側部中央に位置する第２の向上した支持区域を備え、該第２の向上した支持区域は、該第２のアッパーの他の領域より強くより可撓性がある、請求項１１に記載の非対称な一足の靴。
【請求項１３】
前記第２の向上した支持区域は、前記第２のアッパーのヒール領域に位置する第２のヒールカウンターを備え、該第２のアッパーの該ヒール領域の側部面上に位置する該第２のヒールカウンターの側部部分は、該第２のアッパーの該ヒール領域の内側面上に位置する該第２のヒールカウンターの内側部分より大きい、請求項１２に記載の非対称な一足の靴。
【請求項１４】
前記第２の向上した支持区域は、前記第２のアッパーの側部中央領域をカバーする第２のサドルをさらに備え、該第２のサドルは、該第２のアッパーの該側部中央領域の伸縮およびリバウンド特性のうちの少なくとも１つを向上させる一方で該第２のアッパーの該側部中央領域に増大した強度を提供する少なくとも１つの材料から作られる、請求項１２に記載の非対称な一足の靴。
【請求項１５】
前記第２の牽引特徴は、前記第２の足の母指球および親指位置に概して対応する母指球および親指牽引区域を備え、該母指球および親指牽引区域のそれぞれは、前記第２のソール上の他の牽引区域内の牽引要素より大きい単一の大きい牽引要素を含む、請求項１１に記載の非対称な一足の靴。
【請求項１６】
前記第１の牽引特徴は、第１の複数の牽引区域の第１の構成を備え、前記第２の牽引特徴は、第２の複数の牽引区域の第２の構成を備え、該第１および第２の複数の牽引区域のそれぞれは、自身の表面から外向きに延在する少なくとも１つの牽引要素を有し、該第１の複数の牽引区域の該第１の構成は、該第２の複数の牽引区域の該第２の構成の鏡像と異なる、請求項１１に記載の非対称な一足の靴。
【請求項１７】
可撓裏張り材料が、前記第１および第２の複数の牽引区域のそれぞれにしっかりと結合され、該第１および第２の複数の牽引区域のそれぞれから外方向に延在する前記少なくとも１つの牽引要素は、該第１および第２の複数の牽引区域のそれぞれの該可撓裏張り材料にしっかりと結合される、請求項１６に記載の非対称な一足の靴。
【請求項１８】
前記第１のソールは、第１のアウトソール、第１のミッドソールおよび第１のミッドソール補強構造を備え、前記第２のソールは、第２のアウトソール、第２のミッドソールおよび第２のミッドソール補強構造を備え、該第１のソールの該第１のアウトソール、第１のミッドソールおよび第１のミッドソール補強構造の第１の構成は、該第２のソールの該第２のアウトソール、第２のミッドソールおよび第２のミッドソール補強構造の第２の構成の鏡像と異なる、請求項１に記載の非対称な一足の靴。
【請求項１９】
前記第１のミッドソール補強構造のヒール部分から前記第１のアウトソールのヒール部分まで延在する支持ブリッジをさらに備える、請求項１８に記載の非対称な一足の靴。
【請求項２０】
前記第１および第２のミッドソールは、発泡熱可塑性ポリウレタン材料から作られる、請求項１８に記載の非対称な一足の靴。
【請求項２１】
前記第１および第２のミッドソール補強構造は、エチルビニルアセテート材料から作られる、請求項２０に記載の非対称な一足の靴。
【請求項２２】
非対称な一足のゴルフ靴であって、該非対称な一足のゴルフ靴は、
第１のアッパーと、該第１のアッパーに取り付けられた第１のソールとを有する第１の靴であって、該第１のアッパーは、ゴルフスイングのフォワードスイング動作のパフォーマンス中に該第１のアッパーの少なくとも１つの部分に増大した支持を提供するように構成された第１の支持特徴を備え、該第１のソールは、該フォワードスイング動作のパフォーマンス中に該第１のソールの少なくとも１つの部分に増大した牽引を提供するように構成された第１の牽引特徴を備える、第１の靴と、
第２のアッパーと、該第２のアッパーに取り付けられた第２のソールとを有する第２の靴であって、該第２のアッパーは、ゴルフスイングのバックスイング動作のパフォーマンス中に該第２のアッパーの少なくとも１つの部分に増大した支持を提供するように構成された第２の支持特徴を備え、該第２のソールは、該バックスイング動作のパフォーマンス中に該第２のソールの少なくとも１つの部分に増大した牽引を提供するように構成された第２の牽引特徴を備え、該第１の支持特徴および第１の牽引特徴は、該第２の靴の対応する鏡像位置に存在せず、該第２の支持特徴および該第２の牽引特徴は、該第１の靴の対応する鏡像位置に存在しない、第２の靴と
を備える、非対称な一足のゴルフ靴。
【請求項２３】
前記第１の支持特徴は、前記第１のアッパーの足の前部領域に対して側部中央に位置する第１の向上した支持区域を備え、該第１の向上した支持区域は、該第１のアッパーの他の領域より強くより可撓性がある、請求項２２に記載の非対称な一足のゴルフ靴。
【請求項２４】
前記第１の向上した支持区域は、前記第１のアッパーの側部の足の前部領域をカバーするエナジースリングを備え、該エナジースリングは、該側部の足の前部領域の伸縮およびリバウンド特性のうちの少なくとも１つを向上させる一方で該側部の足の前部領域に増大した強度を提供する少なくとも１つの材料から作られる、請求項２３に記載の非対称な一足のゴルフ靴。
【請求項２５】
前記少なとも１つの材料は、ゴムおよび熱可塑性ポリウレタンのうちの少なくとも１つを備える、請求項２４に記載の非対称な一足のゴルフ靴。
【請求項２６】
前記第１の向上した支持区域は、前記第１のアッパーの側部中央領域をカバーする第１のサドルをさらに備え、該第１のサドルは、該第１のアッパーの該側部中央領域の伸縮およびリバウンド特性のうちの少なくとも１つを向上させる一方で該第１のアッパーの該側部中央領域に増大した強度を提供する少なくとも１つの材料から作られる、請求項２４に記載の非対称な一足のゴルフ靴。
【請求項２７】
前記第１のアッパーは、前記第１の向上した支持区域の表面領域を増大させるために該第１のアッパーの内側面により近接してオフセットされているクロージャーをさらに備える、請求項２３に記載の非対称な一足のゴルフ靴。
【請求項２８】
前記第１の牽引特徴は、前記第１のソールの底面上に長手方向グルーブを備え、該長手方向グルーブは、該第１のソールの長さに実質的にわたっている、請求項２２に記載の非対称な一足のゴルフ靴。
【請求項２９】
前記長手方向グルーブは、前記第１のソールの長さの少なくとも７５％の長さにわたっている、請求項２８に記載の非対称な一足のゴルフ靴。
【請求項３０】
前記長手方向グルーブは、少なくとも１つの切欠き部分を備える、請求項２８に記載の非対称な一足のゴルフ靴。
【請求項３１】
前記第１の支持特徴は、前記第１のアッパーのヒール領域上に位置する第１のヒールカウンターを備え、該第１のアッパーの該ヒール領域の内側面上に位置する該第１のヒールカウンターの内側部分は、該第１のアッパーの該ヒール領域の側部面上に位置する該第１のヒールカウンターの側部部分より大きい、請求項２２に記載の非対称な一足のゴルフ靴。
【請求項３２】
前記第２の支持特徴は、前記第２のアッパーのヒール位置に対して側部中央に位置する第２の向上した支持区域を備え、該第２の向上した支持区域は、該第２のアッパーの他の領域より強くより可撓性がある、請求項２２に記載の非対称な一足のゴルフ靴。
【請求項３３】
前記第２の向上した支持区域は、前記第２のアッパーのヒール領域に位置する第２のヒールカウンターを備え、該第２のアッパーの該ヒール領域の側部面上に位置する該第２のヒールカウンターの側部部分は、該第２のアッパーの該ヒール領域の内側面上に位置する該第２のヒールカウンターの内側部分より大きい、請求項３２に記載の非対称な一足のゴルフ靴。
【請求項３４】
前記第２の向上した支持区域は、前記第２のアッパーの側部中央領域をカバーする第２のサドルをさらに備え、該第２のサドルは、該第２のアッパーの該側部中央領域の伸縮およびリバウンド特性のうちの少なくとも１つを向上させる一方で該第２のアッパーの該側部中央領域に増大した強度を提供する少なくとも１つの材料から作られる、請求項３２に記載の非対称な一足のゴルフ靴。
【請求項３５】
前記第２の牽引特徴は、前記第２の足の母指球および親指位置に概して対応する母指球および親指牽引区域を備え、該母指球および親指牽引区域のそれぞれは、前記第２のソール上の他の牽引区域内の牽引要素より大きい単一の大きい牽引要素を含む、請求項２２に記載の非対称な一足のゴルフ靴。
【請求項３６】
前記第１の牽引特徴は、第１の複数の牽引区域の第１の構成を備え、前記第２の牽引特徴は、第２の複数の牽引区域の第２の構成を備え、該第１および第２の複数の牽引区域のそれぞれは、自身の表面から外向きに延在する少なくとも１つの牽引要素を有し、該第１の複数の牽引区域の該第１の構成は、該第２の複数の牽引区域の該第２の構成の鏡像と異なる、請求項２２に記載の非対称な一足のゴルフ靴。
【請求項３７】
可撓裏張り材料が、前記第１および第２の複数の牽引区域のそれぞれにしっかりと結合され、該第１および第２の複数の牽引区域のそれぞれから外方向に延在する前記少なくとも１つの牽引要素は、該第１および第２の複数の牽引区域のそれぞれの該可撓裏張り材料にしっかりと結合される、請求項３６に記載の非対称な一足のゴルフ靴。
【請求項３８】
前記第１および第２の複数の牽引区域のそれぞれから外方向に延在する複数の前記少なくとも１つの牽引要素のそれぞれは、異なる屈曲および耐久性特性を有する少なくとも２つの異なる部分品を含む、請求項３６に記載の非対称な一足のゴルフ靴。
【請求項３９】
前記第１のソールは、第１のアウトソール、第１のミッドソールおよび第１のミッドソール補強構造を備え、前記第２のソールは、第２のアウトソール、第２のミッドソールおよび第２のミッドソール補強構造を備え、該第１のソールの該第１のアウトソール、第１のミッドソールおよび第１のミッドソール補強構造の第１の構成は、該第２のソールの該第２のアウトソール、第２のミッドソールおよび第２のミッドソール補強構造の第２の構成の鏡像と異なる、請求項２２に記載の非対称な一足のゴルフ靴。
【請求項４０】
前記第１のミッドソール補強構造のヒール部分から前記第１のアウトソールのヒール部分まで延在する支持ブリッジをさらに備える、請求項３９に記載の非対称な一足のゴルフ靴。
【請求項４１】
前記第１および第２のミッドソールは、発泡熱可塑性ポリウレタン材料から作られる、請求項３９に記載の非対称な一足のゴルフ靴。
【請求項４２】
前記第１および第２のミッドソール補強構造は、エチルビニルアセテート材料から作られる、請求項４１に記載の非対称な一足のゴルフ靴。
【請求項４３】
非対称な一足のゴルフ靴であって、該非対称な一足のゴルフ靴は、
第１のアッパーと、該第１のアッパーに取り付けられた第１のソールとを有する第１の靴であって、該第１のソールは、所定のスイング動作のパフォーマンス中に該第１のソールの少なくとも１つの部分に増大した牽引を提供するように構成された少なくとも１つの第１の牽引特徴を備え、該少なくとも１つの第１の牽引特徴は、該第１のソールの底面上に長手方向グルーブを備え、該長手方向グルーブは、該第１のソールの全長に実質的にわたっている、第１の靴と、
第２のアッパーと、該第２のアッパーに取り付けられた第２のソールとを有する第２の靴であって、該少なくとも１つの第１の牽引特徴は、該第２の靴の該第２のソール上の対応する鏡像位置に存在しない、第２の靴と
を備える、非対称な一足のゴルフ靴。
【請求項４４】
前記長手方向グルーブは、前記第１のソールの長さの少なくとも７５％の長さにわたっている、請求項４３に記載の非対称な一足のゴルフ靴。
【請求項４５】
前記長手方向グルーブは、少なくとも１つの切欠き部分を備える、請求項４３に記載の非対称な一足のゴルフ靴。
【請求項４６】
前記第２のソール上に位置する少なくとも１つの第２の牽引特徴をさらに備え、該少なくとも１つの第２の牽引特徴は、前記第１の靴の前記第１のソール上の対応する鏡像位置に存在せず、該少なくとも１つの第２の牽引特徴は、前記第２の足の母指球および親指位置にそれぞれ概して対応する母指球および親指牽引区域を備え、該母指球および親指牽引区域のそれぞれは、該第２のソール上の他の牽引区域内の牽引要素より大きい単一の大きい牽引要素を含む、請求項４３に記載の非対称な一足のゴルフ靴。
【請求項４７】
前記少なくとも１つの第１の牽引特徴は、第１の複数の牽引区域の第１の構成をさらに備え、前記少なくとも１つの第２の牽引特徴は、第２の複数の牽引区域の第２の構成を備え、該第１および第２の複数の牽引区域のそれぞれは、自身の表面から外向きに延在する少なくとも１つの牽引要素を有し、該第１の複数の牽引区域の該第１の構成は、該第２の複数の牽引区域の該第２の構成の鏡像と異なる、請求項４６に記載の非対称な一足のゴルフ靴。
【請求項４８】
可撓裏張り材料が、前記第１および第２の複数の牽引区域のそれぞれにしっかりと結合され、該第１および第２の複数の牽引区域のそれぞれから外方向に延在する前記少なくとも１つの牽引要素は、該第１および第２の複数の牽引区域のそれぞれの該可撓裏張り材料にしっかりと結合される、請求項４７に記載の非対称な一足のゴルフ靴。
【請求項４９】
前記第１および第２の複数の牽引区域のそれぞれから外方向に延在する複数の前記少なくとも１つの牽引要素のそれぞれは、異なる屈曲および耐久性特性を有する少なくとも２つの異なる部分品を含む、請求項４７に記載の非対称な一足のゴルフ靴。
【請求項５０】
前記第１のソールは、第１のアウトソール、第１のミッドソールおよび第１のミッドソール補強構造を備え、前記第２のソールは、第２のアウトソール、第２のミッドソールおよび第２のミッドソール補強構造を備え、該第１のソールの該第１のアウトソール、第１のミッドソールおよび第１のミッドソール補強構造の第１の構成は、該第２のソールの該第２のアウトソール、第２のミッドソールおよび第２のミッドソール補強構造の第２の構成の鏡像と異なる、請求項４３に記載の非対称な一足のゴルフ靴。
【請求項５１】
前記第１および第２のミッドソールは、発泡熱可塑性ポリウレタン材料から作られる、請求項５０に記載の非対称な一足のゴルフ靴。
【請求項５２】
前記第１および第２のミッドソール補強構造は、エチルビニルアセテート材料から作られる、請求項５０に記載の非対称な一足のゴルフ靴。
【請求項５３】
非対称な一足のゴルフ靴であって、該非対称な一足のゴルフ靴は、
第１のアッパーと、該第１のアッパーに取り付けられた第１のソールとを有する第１の靴であって、該第１のアッパーは、ゴルフスイングの所定のスイング動作のパフォーマンス中に該第１のアッパーの少なくとも１つの部分に増大した支持を提供するように構成された少なくとも１つの第１の支持特徴を備える、第１の靴と、
第２のアッパーと、該第２のアッパーに取り付けられた第２のソールとを有する第２の靴であって、該少なくとも１つの第１の支持特徴は、該第２のアッパー上の対応する鏡像位置に存在しない、第２の靴と
を備える、非対称な一足のゴルフ靴。
【請求項５４】
前記少なくとも１つの第１の支持特徴は、前記第１のアッパーの足の前部領域に対して側部中央に位置する第１の向上した支持区域を備え、該第１の向上した支持区域は、該第１のアッパーの他の領域より強くより可撓性がある、請求項５３に記載の非対称な一足のゴルフ靴。
【請求項５５】
前記第１の向上した支持区域は、前記第１のアッパーの側部の足の前部領域をカバーするエナジースリングを備え、該エナジースリングは、該側部の足の前部領域の伸縮およびリバウンド特性のうちの少なくとも１つを向上させる一方で該側部の足の前部領域に増大した強度を提供する少なくとも１つの材料から作られる、請求項５４に記載の非対称な一足のゴルフ靴。
【請求項５６】
前記少なとも１つの材料は、ゴムおよび熱可塑性ポリウレタンのうちの少なくとも１つを備える、請求項５５に記載の非対称な一足のゴルフ靴。
【請求項５７】
前記第１の向上した支持区域は、前記第１のアッパーの側部中央領域をカバーする第１のサドルをさらに備え、該第１のサドルは、該第１のアッパーの該側部中央領域の伸縮およびリバウンド特性のうちの少なくとも１つを向上させる一方で該第１のアッパーの該側部中央領域に増大した強度を提供する少なくとも１つの材料から作られる、請求項５４に記載の非対称な一足のゴルフ靴。
【請求項５８】
前記少なくとも１つの第１の支持特徴は、前記第１の向上した支持区域の表面領域を増大させるために前記第１のアッパーの内側面により近接してオフセットされているクロージャーをさらに備える、請求項５４に記載の非対称な一足のゴルフ靴。
【請求項５９】
前記少なくとも１つの１の支持特徴は、前記第１のアッパーのヒール領域上に位置する第１のヒールカウンターを備え、該第１のアッパーの該ヒール領域の内側面上に位置する該第１のヒールカウンターの内側部分は、該第１のアッパーの該ヒール領域の側部面上に位置する該第１のヒールカウンターの側部部分より大きい、請求項５３に記載の非対称な一足のゴルフ靴。
【請求項６０】
前記第２のアッパー上に位置する少なくとも１つの第２の支持特徴をさらに備え、該少なくとも１つの第２の支持特徴は、前記第１のアッパー上の対応する鏡像位置に存在せず、該少なくとも１つの第２の支持特徴は、該第２のアッパーのヒール位置に対して側部中央に位置する第２の向上した支持区域を備え、該第２の向上した支持区域は、該第２のアッパーの他の領域より強くより可撓性がある、請求項５３に記載の非対称な一足のゴルフ靴。
【請求項６１】
前記第２の向上した支持区域は、前記第２のアッパーのヒール領域に位置する第２のヒールカウンターを備え、該第２のアッパーの該ヒール領域の側部面上に位置する該第２のヒールカウンターの側部部分は、該第２のアッパーの該ヒール領域の内側面上に位置する該第２のヒールカウンターの内側部分より大きい、請求項６０に記載の非対称な一足のゴルフ靴。
【請求項６２】
前記第２の向上した支持区域は、前記第２のアッパーの側部中央領域をカバーする第２のサドルをさらに備え、該第２のサドルは、該第２のアッパーの該側部中央領域の伸縮およびリバウンド特性のうちの少なくとも１つを向上させる一方で該第２のアッパーの該側部中央領域に増大した強度を提供する少なくとも１つの材料から作られる、請求項６０に記載の非対称な一足のゴルフ靴。
【発明の詳細な説明】
【技術分野】
【０００１】
（本発明の詳細な説明）
（関係する特許出願）
本出願は、２０１４年７月１５日に出願された「ＡＳＹＭＭＥＴＲＩＣ  ＳＨＯＥＳ」というタイトルの仮出願第６２／０２４，８９４号の３５Ｕ．Ｓ．Ｃ．§１１９（ｅ）の下での優先権の利益を主張し、この出願は、参照により、その全体が本明細書に援用される。
【０００２】
（本発明の分野）
本発明は、概して、スポーツ活動中に使用される靴に関係し、より具体的には、特定のスポーツ活動（例えば、ゴルフ）中の選手の左および右足の異なる予想される移動に基づいて各靴のパフォーマンスおよび他の特性を最適化するための異なる左および右靴設計および特徴を有する非対称靴に関係する。
【背景技術】
【０００３】
（本発明の背景）
今日の多くのスポーツ活動は、所定の様式で繰り返して動きを行うことを必要とし、この動きは、プレーヤーの左および右足の異なる移動を必要とする。例えば、ゴルフにおいて、スイング中のゴルファーの足運びは、複雑であり、左足と右足との間で違う。概して、たいていのゴルフショットについて、ゴルファーの体重は、最初、各足に５０/５０でかかり、ゴルファーの体重は、典型的に、各足の底面領域にわたって一様に分布される。バックスイング中に、ゴルファーの体重の大部分は、典型的に、ゴルファーの後足のアウトサイド（側部面）に移る一方で、前足は、バランスのために一部の体重を維持する。バックスイングは、後足の前部を外向きにかつ後ヒールを内向きにスピンまたは枢動させる傾向がある力を適用し、この力は、ゴルファーの後足の安定を保つための後足の地面との接触によって必ず抵抗される。
【０００４】
クラブのダウンスイング中に、ゴルファーの体重は、移り始め、ゴルフボールが打撃されるまでに、ゴルファーの体重は、後ろ足と前足との間で再び一様に分布されるか、または前足にさらに移り始めた。スイングの最終姿勢時に、ゴルファーの体重のほとんどは、前足に存在して、インサイド（内側面）より多くの体重が前足のアウトサイド（側部面）に存在し、ゴルファーのかかとおよび後足の靴アウトソールは、地面の上に上げられて後ろ向きに向く。適切なスイングにおいて、ゴルファーの後ろ足の親指部分のみが最終時に地面との接触を維持する。最終姿勢において、ゴルファーの後ろ靴のヒールおよびほとんどのアウトソールは、地面から離れて、親指部分のみがバランスのために地面に接触している。
【０００５】
上述されているように、ゴルファーの足は、ゴルファーがバランスをとり続けるためにゴルフスイング中の移動を複雑にする一方で、ゴルフボールを打撃するためのトルクおよびクラブヘッド速度を生成する。ゴルフスイングの様々な段階中に、異なる力、圧力および応力が左および右靴に働き、これは、異なる方法でふるまって反応することを各靴に要求する。野球（例えば、バッターのスイング中）および陸上競技（例えば、トラック上を反時計回りの方向におけるスタートおよび走行中）などの他のスポーツ中に同様の状況が存在する。しかしながら、これらのタイプのスポーツ活動中に使用される従来の靴は、概して対称的に設計され、スポーツ活動中のそれらのパフォーマンスを最適化するために左および右靴において異なる機能性、特徴および構造を要求し得る異なる左および右足の動きおよび移動間を区別しない。
【０００６】
加えて、従来のゴルフ靴において、アウトソールは、牽引要素間のとても小さい独立した移動を提供する方法で様々な牽引要素を支持する剛性ベースプラットフォームを含む。典型的に、アウトソールは、ヒールが持ち上がるかまたは足が側面に傾くときにソールの大部分が地面を離れて持ち上がって牽引を失うように剛性ユニットとして移動し、牽引のためにつま先または側面縁部のみを地面と接触したままにする。さらに、従来のゴルフ靴において、ソールは、ゴルフスイング中の地面とゴルファーの足との間の滑らかなエネルギー移行を促進するためのクッション性または可撓性を欠く。従来のゴルフ靴の相対的に剛性なソールは、さらに、他のタイプの運動靴と比較してゴルファーにとって不快である可能性がある。
【発明の概要】
【課題を解決するための手段】
【０００７】
（本発明の要旨）
本発明は、特定のスポーツ活動中の各靴のパフォーマンスを最適化するために左靴と右靴との間に異なる特徴、構造および特性を有する非対称靴を提供することによって、従来の靴の上記の不足に対処する。本発明の様々な例示的な実施形態がゴルフのコンテキストで本明細書に説明されているが、当業者は、本明細書に論じられている様々な特徴および概念が、プレーヤーの左足と右足との間の異なる移動および動きを繰り返して必要とする任意のスポーツ活動中に使用される靴に適用されることが可能であることがわかる。加えて、例示的な非対称靴が、自身にとってゴルフスイング中に左足が前足でありゴルフスイング中に右足が後ろまたは後足である右利きのゴルファーについて本明細書に説明されている。当業者は、左利きのゴルファーにとって、ゴルフスイング中に右足が前足であり左足が後足であることを認識する。したがって、右利きのゴルファーと比較したときにそのような左利きのゴルファーについて、非対称靴の特徴および設計は、左靴から右靴に交換され、その逆もまた然りである。
【０００８】
本発明の１つに実施形態において、非対称な一足の靴は：第１のアッパーと第１のアッパーに取り付けられた第１のソールとを有する第１の靴であって、第１のアッパーは、着用者の第１の足の第１の所定の動きのパフォーマンス中に第１のアッパーの少なくとも１つの部分に増大した支持を提供するように構成された第１の支持特徴を備え、第１のソールは、第１の足の第１の所定の動きのパフォーマンス中に第１のソールの少なくとも１つの部分に増大した牽引を提供するように構成された第１の牽引特徴を備える、第１の靴と；第２のアッパーと第２のアッパーに取り付けられた第２のソールとを有する第２の靴であって、第１の支持特徴および第１の牽引特徴は、第２の靴の対応する鏡像位置に存在しない、第２の靴とを含む。
【０００９】
別の実施形態において、非対称な一足のゴルフ靴は：第１のアッパーと第１のアッパーに取り付けられた第１のソールとを有する第１の靴であって、第１のアッパーは、ゴルフスイングのフォワードスイング動作のパフォーマンス中に第１のアッパーの少なくとも１つの部分に増大した支持を提供するように構成された第１の支持特徴を備え、第１のソールは、フォワードスイング動作のパフォーマンス中に第１のソールの少なくとも１つの部分に増大した牽引を提供するように構成された第１の牽引特徴を備える、第１の靴と；第２のアッパーと第２のアッパーに取り付けられた第２のソールとを有する第２の靴であって、第２のアッパーは、ゴルフスイングのバックスイング動作のパフォーマンス中に第２のアッパーの少なくとも１つの部分に増大した支持を提供するように構成された第２の支持特徴を備え、第２のソールは、バックスイング動作のパフォーマンス中に第２のソールの少なくとも１つの部分に増大した牽引を提供するように構成された第２の牽引特徴を備え、第１の支持特徴および第１の牽引特徴は、第２の靴の対応する鏡像位置に存在せず、第２の支持特徴および第２の牽引特徴は、第１の靴の対応する鏡像位置に存在しない、第２の靴とを含む。
【００１０】
本発明の様々な実施形態の構造および動作に加えて本発明の更なる特徴および利点が、添付図面を参照して詳細に後述されている。
例えば、本発明は、以下の項目を提供する。
（項目１）
非対称な一足の靴であって、該非対称な一足の靴は、
第１のアッパーと、該第１のアッパーに取り付けられた第１のソールとを有する第１の靴であって、該第１のアッパーは、着用者の第１の足の第１の所定の動きのパフォーマンス中に該第１のアッパーの少なくとも１つの部分に増大した支持を提供するように構成された第１の支持特徴を備え、該第１のソールは、該第１の足の該第１の所定の動きのパフォーマンス中に該第１のソールの少なくとも１つの部分に増大した牽引を提供するように構成された第１の牽引特徴を備える、第１の靴と、
第２のアッパーと、該第２のアッパーに取り付けられた第２のソールとを有する第２の靴であって、該第１の支持特徴および第１の牽引特徴は、該第２の靴の対応する鏡像位置に存在しない、第２の靴と
を備える、非対称な一足の靴。
（項目２）
前記第１の支持特徴は、前記第１のアッパーの足の前部領域に対して側部中央に位置する第１の向上した支持区域を備え、該第１の向上した支持区域は、該第１のアッパーの他の領域より強くより可撓性がある、上記項目に記載の非対称な一足の靴。
（項目３）
前記第１の向上した支持区域は、前記第１のアッパーの側部の足の前部領域をカバーするエナジースリングを備え、該エナジースリングは、該側部の足の前部領域の伸縮およびリバウンド特性のうちの少なくとも１つを向上させる一方で該側部の足の前部領域に増大した強度を提供する少なくとも１つの材料から作られる、上記項目のいずれかに記載の非対称な一足の靴。
（項目４）
前記少なとも１つの材料は、ゴムおよび熱可塑性ポリウレタンのうちの少なくとも１つを備える、上記項目のいずれかに記載の非対称な一足の靴。
（項目５）
前記第１の向上した支持区域は、前記第１のアッパーの側部中央領域をカバーする第１のサドルをさらに備え、該第１のサドルは、該第１のアッパーの該側部中央領域の伸縮およびリバウンド特性のうちの少なくとも１つを向上させる一方で該第１のアッパーの該側部中央領域に増大した強度を提供する少なくとも１つの材料から作られる、上記項目のいずれかに記載の非対称な一足の靴。
（項目６）
前記第１のアッパーは、前記第１の向上した支持区域の表面領域を増大させるために該第１のアッパーの内側面により近接してオフセットされているクロージャーをさらに備える、上記項目のいずれかに記載の非対称な一足の靴。
（項目７）
前記第１の牽引特徴は、前記第１のソールの底面上に長手方向グルーブを備え、該長手方向グルーブは、該第１のソールの長さに実質的にわたっている、上記項目のいずれかに記載の非対称な一足の靴。
（項目８）
前記長手方向グルーブは、前記第１のソールの長さの少なくとも７５％の長さにわたっている、上記項目のいずれかに記載の非対称な一足の靴。
（項目９）
前記長手方向グルーブは、該長手方向グルーブに沿って屈曲することをさらに容易にする少なくとも１つの切欠き部分を備える、上記項目のいずれかに記載の非対称な一足の靴。
（項目１０）
前記第１の支持特徴は、前記第１のアッパーのヒール領域上に位置する第１のヒールカウンターを備え、該第１のアッパーの該ヒール領域の内側面上に位置する該第１のヒールカウンターの内側部分は、該第１のアッパーの該ヒール領域の側部面上に位置する該第１のヒールカウンターの側部部分より大きい、上記項目のいずれかに記載の非対称な一足の靴。
（項目１１）
前記第２のアッパーは、前記着用者の第２の足の第２の所定の動きのパフォーマンス中に該第２のアッパーの少なくとも１つの部分に増大した支持を提供するように構成された第２の支持特徴を備え、前記第２のソールは、該第２の所定の動きのパフォーマンス中に該第２のソールの少なくとも１つの部分に増大した牽引を提供するように構成された第２の牽引特徴を備え、前記第１の足の前記第１の所定の動きは、該第２の足の該第２の所定の動きと異なり、該第２の支持特徴および該第２の牽引特徴は、前記第１の靴の対応する鏡像位置に存在しない、上記項目のいずれかに記載の非対称な一足の靴。
（項目１２）
前記第２の支持特徴は、前記第２のアッパーのヒール位置に対して側部中央に位置する第２の向上した支持区域を備え、該第２の向上した支持区域は、該第２のアッパーの他の領域より強くより可撓性がある、上記項目のいずれかに記載の非対称な一足の靴。
（項目１３）
前記第２の向上した支持区域は、前記第２のアッパーのヒール領域に位置する第２のヒールカウンターを備え、該第２のアッパーの該ヒール領域の側部面上に位置する該第２のヒールカウンターの側部部分は、該第２のアッパーの該ヒール領域の内側面上に位置する該第２のヒールカウンターの内側部分より大きい、上記項目のいずれかに記載の非対称な一足の靴。
（項目１４）
前記第２の向上した支持区域は、前記第２のアッパーの側部中央領域をカバーする第２のサドルをさらに備え、該第２のサドルは、該第２のアッパーの該側部中央領域の伸縮およびリバウンド特性のうちの少なくとも１つを向上させる一方で該第２のアッパーの該側部中央領域に増大した強度を提供する少なくとも１つの材料から作られる、上記項目のいずれかに記載の非対称な一足の靴。
（項目１５）
前記第２の牽引特徴は、前記第２の足の母指球および親指位置に概して対応する母指球および親指牽引区域を備え、該母指球および親指牽引区域のそれぞれは、前記第２のソール上の他の牽引区域内の牽引要素より大きい単一の大きい牽引要素を含む、上記項目のいずれかに記載の非対称な一足の靴。
（項目１６）
前記第１の牽引特徴は、第１の複数の牽引区域の第１の構成を備え、前記第２の牽引特徴は、第２の複数の牽引区域の第２の構成を備え、該第１および第２の複数の牽引区域のそれぞれは、自身の表面から外向きに延在する少なくとも１つの牽引要素を有し、該第１の複数の牽引区域の該第１の構成は、該第２の複数の牽引区域の該第２の構成の鏡像と異なる、上記項目のいずれかに記載の非対称な一足の靴。
（項目１７）
可撓裏張り材料が、前記第１および第２の複数の牽引区域のそれぞれにしっかりと結合され、該第１および第２の複数の牽引区域のそれぞれから外方向に延在する前記少なくとも１つの牽引要素は、該第１および第２の複数の牽引区域のそれぞれの該可撓裏張り材料にしっかりと結合される、上記項目のいずれかに記載の非対称な一足の靴。
（項目１８）
前記第１のソールは、第１のアウトソール、第１のミッドソールおよび第１のミッドソール補強構造を備え、前記第２のソールは、第２のアウトソール、第２のミッドソールおよび第２のミッドソール補強構造を備え、該第１のソールの該第１のアウトソール、第１のミッドソールおよび第１のミッドソール補強構造の第１の構成は、該第２のソールの該第２のアウトソール、第２のミッドソールおよび第２のミッドソール補強構造の第２の構成の鏡像と異なる、上記項目のいずれかに記載の非対称な一足の靴。
（項目１９）
前記第１のミッドソール補強構造のヒール部分から前記第１のアウトソールのヒール部分まで延在する支持ブリッジをさらに備える、上記項目のいずれかに記載の非対称な一足の靴。
（項目２０）
前記第１および第２のミッドソールは、発泡熱可塑性ポリウレタン材料から作られる、上記項目のいずれかに記載の非対称な一足の靴。
（項目２１）
前記第１および第２のミッドソール補強構造は、エチルビニルアセテート材料から作られる、上記項目のいずれかに記載の非対称な一足の靴。
（項目２２）
非対称な一足のゴルフ靴であって、該非対称な一足のゴルフ靴は、
第１のアッパーと、該第１のアッパーに取り付けられた第１のソールとを有する第１の靴であって、該第１のアッパーは、ゴルフスイングのフォワードスイング動作のパフォーマンス中に該第１のアッパーの少なくとも１つの部分に増大した支持を提供するように構成された第１の支持特徴を備え、該第１のソールは、該フォワードスイング動作のパフォーマンス中に該第１のソールの少なくとも１つの部分に増大した牽引を提供するように構成された第１の牽引特徴を備える、第１の靴と、
第２のアッパーと、該第２のアッパーに取り付けられた第２のソールとを有する第２の靴であって、該第２のアッパーは、ゴルフスイングのバックスイング動作のパフォーマンス中に該第２のアッパーの少なくとも１つの部分に増大した支持を提供するように構成された第２の支持特徴を備え、該第２のソールは、該バックスイング動作のパフォーマンス中に該第２のソールの少なくとも１つの部分に増大した牽引を提供するように構成された第２の牽引特徴を備え、該第１の支持特徴および第１の牽引特徴は、該第２の靴の対応する鏡像位置に存在せず、該第２の支持特徴および該第２の牽引特徴は、該第１の靴の対応する鏡像位置に存在しない、第２の靴と
を備える、非対称な一足のゴルフ靴。
（項目２３）
前記第１の支持特徴は、前記第１のアッパーの足の前部領域に対して側部中央に位置する第１の向上した支持区域を備え、該第１の向上した支持区域は、該第１のアッパーの他の領域より強くより可撓性がある、上記項目のいずれかに記載の非対称な一足のゴルフ靴。
（項目２４）
前記第１の向上した支持区域は、前記第１のアッパーの側部の足の前部領域をカバーするエナジースリングを備え、該エナジースリングは、該側部の足の前部領域の伸縮およびリバウンド特性のうちの少なくとも１つを向上させる一方で該側部の足の前部領域に増大した強度を提供する少なくとも１つの材料から作られる、上記項目のいずれかに記載の非対称な一足のゴルフ靴。
（項目２５）
前記少なとも１つの材料は、ゴムおよび熱可塑性ポリウレタンのうちの少なくとも１つを備える、上記項目のいずれかに記載の非対称な一足のゴルフ靴。
（項目２６）
前記第１の向上した支持区域は、前記第１のアッパーの側部中央領域をカバーする第１のサドルをさらに備え、該第１のサドルは、該第１のアッパーの該側部中央領域の伸縮およびリバウンド特性のうちの少なくとも１つを向上させる一方で該第１のアッパーの該側部中央領域に増大した強度を提供する少なくとも１つの材料から作られる、上記項目のいずれかに記載の非対称な一足のゴルフ靴。
（項目２７）
前記第１のアッパーは、前記第１の向上した支持区域の表面領域を増大させるために該第１のアッパーの内側面により近接してオフセットされているクロージャーをさらに備える、上記項目のいずれかに記載の非対称な一足のゴルフ靴。
（項目２８）
前記第１の牽引特徴は、前記第１のソールの底面上に長手方向グルーブを備え、該長手方向グルーブは、該第１のソールの長さに実質的にわたっている、上記項目のいずれかに記載の非対称な一足のゴルフ靴。
（項目２９）
前記長手方向グルーブは、前記第１のソールの長さの少なくとも７５％の長さにわたっている、上記項目のいずれかに記載の非対称な一足のゴルフ靴。
（項目３０）
前記長手方向グルーブは、少なくとも１つの切欠き部分を備える、上記項目のいずれかに記載の非対称な一足のゴルフ靴。
（項目３１）
前記第１の支持特徴は、前記第１のアッパーのヒール領域上に位置する第１のヒールカウンターを備え、該第１のアッパーの該ヒール領域の内側面上に位置する該第１のヒールカウンターの内側部分は、該第１のアッパーの該ヒール領域の側部面上に位置する該第１のヒールカウンターの側部部分より大きい、上記項目のいずれかに記載の非対称な一足のゴルフ靴。
（項目３２）
前記第２の支持特徴は、前記第２のアッパーのヒール位置に対して側部中央に位置する第２の向上した支持区域を備え、該第２の向上した支持区域は、該第２のアッパーの他の領域より強くより可撓性がある、上記項目のいずれかに記載の非対称な一足のゴルフ靴。
（項目３３）
前記第２の向上した支持区域は、前記第２のアッパーのヒール領域に位置する第２のヒールカウンターを備え、該第２のアッパーの該ヒール領域の側部面上に位置する該第２のヒールカウンターの側部部分は、該第２のアッパーの該ヒール領域の内側面上に位置する該第２のヒールカウンターの内側部分より大きい、上記項目のいずれかに記載の非対称な一足のゴルフ靴。
（項目３４）
前記第２の向上した支持区域は、前記第２のアッパーの側部中央領域をカバーする第２のサドルをさらに備え、該第２のサドルは、該第２のアッパーの該側部中央領域の伸縮およびリバウンド特性のうちの少なくとも１つを向上させる一方で該第２のアッパーの該側部中央領域に増大した強度を提供する少なくとも１つの材料から作られる、上記項目のいずれかに記載の非対称な一足のゴルフ靴。
（項目３５）
前記第２の牽引特徴は、前記第２の足の母指球および親指位置に概して対応する母指球および親指牽引区域を備え、該母指球および親指牽引区域のそれぞれは、前記第２のソール上の他の牽引区域内の牽引要素より大きい単一の大きい牽引要素を含む、上記項目のいずれかに記載の非対称な一足のゴルフ靴。
（項目３６）
前記第１の牽引特徴は、第１の複数の牽引区域の第１の構成を備え、前記第２の牽引特徴は、第２の複数の牽引区域の第２の構成を備え、該第１および第２の複数の牽引区域のそれぞれは、自身の表面から外向きに延在する少なくとも１つの牽引要素を有し、該第１の複数の牽引区域の該第１の構成は、該第２の複数の牽引区域の該第２の構成の鏡像と異なる、上記項目のいずれかに記載の非対称な一足のゴルフ靴。
（項目３７）
可撓裏張り材料が、前記第１および第２の複数の牽引区域のそれぞれにしっかりと結合され、該第１および第２の複数の牽引区域のそれぞれから外方向に延在する前記少なくとも１つの牽引要素は、該第１および第２の複数の牽引区域のそれぞれの該可撓裏張り材料にしっかりと結合される、上記項目のいずれかに記載の非対称な一足のゴルフ靴。
（項目３８）
前記第１および第２の複数の牽引区域のそれぞれから外方向に延在する複数の前記少なくとも１つの牽引要素のそれぞれは、異なる屈曲および耐久性特性を有する少なくとも２つの異なる部分品を含む、上記項目のいずれかに記載の非対称な一足のゴルフ靴。
（項目３９）
前記第１のソールは、第１のアウトソール、第１のミッドソールおよび第１のミッドソール補強構造を備え、前記第２のソールは、第２のアウトソール、第２のミッドソールおよび第２のミッドソール補強構造を備え、該第１のソールの該第１のアウトソール、第１のミッドソールおよび第１のミッドソール補強構造の第１の構成は、該第２のソールの該第２のアウトソール、第２のミッドソールおよび第２のミッドソール補強構造の第２の構成の鏡像と異なる、上記項目のいずれかに記載の非対称な一足のゴルフ靴。
（項目４０）
前記第１のミッドソール補強構造のヒール部分から前記第１のアウトソールのヒール部分まで延在する支持ブリッジをさらに備える、上記項目のいずれかに記載の非対称な一足のゴルフ靴。
（項目４１）
前記第１および第２のミッドソールは、発泡熱可塑性ポリウレタン材料から作られる、上記項目のいずれかに記載の非対称な一足のゴルフ靴。
（項目４２）
前記第１および第２のミッドソール補強構造は、エチルビニルアセテート材料から作られる、上記項目のいずれかに記載の非対称な一足のゴルフ靴。
（項目４３）
非対称な一足のゴルフ靴であって、該非対称な一足のゴルフ靴は、
第１のアッパーと、該第１のアッパーに取り付けられた第１のソールとを有する第１の靴であって、該第１のソールは、所定のスイング動作のパフォーマンス中に該第１のソールの少なくとも１つの部分に増大した牽引を提供するように構成された少なくとも１つの第１の牽引特徴を備え、該少なくとも１つの第１の牽引特徴は、該第１のソールの底面上に長手方向グルーブを備え、該長手方向グルーブは、該第１のソールの全長に実質的にわたっている、第１の靴と、
第２のアッパーと、該第２のアッパーに取り付けられた第２のソールとを有する第２の靴であって、該少なくとも１つの第１の牽引特徴は、該第２の靴の該第２のソール上の対応する鏡像位置に存在しない、第２の靴と
を備える、非対称な一足のゴルフ靴。
（項目４４）
前記長手方向グルーブは、前記第１のソールの長さの少なくとも７５％の長さにわたっている、上記項目のいずれかに記載の非対称な一足のゴルフ靴。
（項目４５）
前記長手方向グルーブは、少なくとも１つの切欠き部分を備える、上記項目のいずれかに記載の非対称な一足のゴルフ靴。
（項目４６）
前記第２のソール上に位置する少なくとも１つの第２の牽引特徴をさらに備え、該少なくとも１つの第２の牽引特徴は、前記第１の靴の前記第１のソール上の対応する鏡像位置に存在せず、該少なくとも１つの第２の牽引特徴は、前記第２の足の母指球および親指位置にそれぞれ概して対応する母指球および親指牽引区域を備え、該母指球および親指牽引区域のそれぞれは、該第２のソール上の他の牽引区域内の牽引要素より大きい単一の大きい牽引要素を含む、上記項目のいずれかに記載の非対称な一足のゴルフ靴。
（項目４７）
前記少なくとも１つの第１の牽引特徴は、第１の複数の牽引区域の第１の構成をさらに備え、前記少なくとも１つの第２の牽引特徴は、第２の複数の牽引区域の第２の構成を備え、該第１および第２の複数の牽引区域のそれぞれは、自身の表面から外向きに延在する少なくとも１つの牽引要素を有し、該第１の複数の牽引区域の該第１の構成は、該第２の複数の牽引区域の該第２の構成の鏡像と異なる、上記項目のいずれかに記載の非対称な一足のゴルフ靴。
（項目４８）
可撓裏張り材料が、前記第１および第２の複数の牽引区域のそれぞれにしっかりと結合され、該第１および第２の複数の牽引区域のそれぞれから外方向に延在する前記少なくとも１つの牽引要素は、該第１および第２の複数の牽引区域のそれぞれの該可撓裏張り材料にしっかりと結合される、上記項目のいずれかに記載の非対称な一足のゴルフ靴。
（項目４９）
前記第１および第２の複数の牽引区域のそれぞれから外方向に延在する複数の前記少なくとも１つの牽引要素のそれぞれは、異なる屈曲および耐久性特性を有する少なくとも２つの異なる部分品を含む、上記項目のいずれかに記載の非対称な一足のゴルフ靴。
（項目５０）
前記第１のソールは、第１のアウトソール、第１のミッドソールおよび第１のミッドソール補強構造を備え、前記第２のソールは、第２のアウトソール、第２のミッドソールおよび第２のミッドソール補強構造を備え、該第１のソールの該第１のアウトソール、第１のミッドソールおよび第１のミッドソール補強構造の第１の構成は、該第２のソールの該第２のアウトソール、第２のミッドソールおよび第２のミッドソール補強構造の第２の構成の鏡像と異なる、上記項目のいずれかに記載の非対称な一足のゴルフ靴。
（項目５１）
前記第１および第２のミッドソールは、発泡熱可塑性ポリウレタン材料から作られる、上記項目のいずれかに記載の非対称な一足のゴルフ靴。
（項目５２）
前記第１および第２のミッドソール補強構造は、エチルビニルアセテート材料から作られる、上記項目のいずれかに記載の非対称な一足のゴルフ靴。
（項目５３）
非対称な一足のゴルフ靴であって、該非対称な一足のゴルフ靴は、
第１のアッパーと、該第１のアッパーに取り付けられた第１のソールとを有する第１の靴であって、該第１のアッパーは、ゴルフスイングの所定のスイング動作のパフォーマンス中に該第１のアッパーの少なくとも１つの部分に増大した支持を提供するように構成された少なくとも１つの第１の支持特徴を備える、第１の靴と、
第２のアッパーと、該第２のアッパーに取り付けられた第２のソールとを有する第２の靴であって、該少なくとも１つの第１の支持特徴は、該第２のアッパー上の対応する鏡像位置に存在しない、第２の靴と
を備える、非対称な一足のゴルフ靴。
（項目５４）
前記少なくとも１つの第１の支持特徴は、前記第１のアッパーの足の前部領域に対して側部中央に位置する第１の向上した支持区域を備え、該第１の向上した支持区域は、該第１のアッパーの他の領域より強くより可撓性がある、上記項目のいずれかに記載の非対称な一足のゴルフ靴。
（項目５５）
前記第１の向上した支持区域は、前記第１のアッパーの側部の足の前部領域をカバーするエナジースリングを備え、該エナジースリングは、該側部の足の前部領域の伸縮およびリバウンド特性のうちの少なくとも１つを向上させる一方で該側部の足の前部領域に増大した強度を提供する少なくとも１つの材料から作られる、上記項目のいずれかに記載の非対称な一足のゴルフ靴。
（項目５６）
前記少なとも１つの材料は、ゴムおよび熱可塑性ポリウレタンのうちの少なくとも１つを備える、上記項目のいずれかに記載の非対称な一足のゴルフ靴。
（項目５７）
前記第１の向上した支持区域は、前記第１のアッパーの側部中央領域をカバーする第１のサドルをさらに備え、該第１のサドルは、該第１のアッパーの該側部中央領域の伸縮およびリバウンド特性のうちの少なくとも１つを向上させる一方で該第１のアッパーの該側部中央領域に増大した強度を提供する少なくとも１つの材料から作られる、上記項目のいずれかに記載の非対称な一足のゴルフ靴。
（項目５８）
前記少なくとも１つの第１の支持特徴は、前記第１の向上した支持区域の表面領域を増大させるために前記第１のアッパーの内側面により近接してオフセットされているクロージャーをさらに備える、上記項目のいずれかに記載の非対称な一足のゴルフ靴。
（項目５９）
前記少なくとも１つの１の支持特徴は、前記第１のアッパーのヒール領域上に位置する第１のヒールカウンターを備え、該第１のアッパーの該ヒール領域の内側面上に位置する該第１のヒールカウンターの内側部分は、該第１のアッパーの該ヒール領域の側部面上に位置する該第１のヒールカウンターの側部部分より大きい、上記項目のいずれかに記載の非対称な一足のゴルフ靴。
（項目６０）
前記第２のアッパー上に位置する少なくとも１つの第２の支持特徴をさらに備え、該少なくとも１つの第２の支持特徴は、前記第１のアッパー上の対応する鏡像位置に存在せず、該少なくとも１つの第２の支持特徴は、該第２のアッパーのヒール位置に対して側部中央に位置する第２の向上した支持区域を備え、該第２の向上した支持区域は、該第２のアッパーの他の領域より強くより可撓性がある、上記項目のいずれかに記載の非対称な一足のゴルフ靴。
（項目６１）
前記第２の向上した支持区域は、前記第２のアッパーのヒール領域に位置する第２のヒールカウンターを備え、該第２のアッパーの該ヒール領域の側部面上に位置する該第２のヒールカウンターの側部部分は、該第２のアッパーの該ヒール領域の内側面上に位置する該第２のヒールカウンターの内側部分より大きい、上記項目のいずれかに記載の非対称な一足のゴルフ靴。
（項目６２）
前記第２の向上した支持区域は、前記第２のアッパーの側部中央領域をカバーする第２のサドルをさらに備え、該第２のサドルは、該第２のアッパーの該側部中央領域の伸縮およびリバウンド特性のうちの少なくとも１つを向上させる一方で該第２のアッパーの該側部中央領域に増大した強度を提供する少なくとも１つの材料から作られる、上記項目のいずれかに記載の非対称な一足のゴルフ靴。
（開示の概要）
スポーツ活動中のパフォーマンスを最適化するための非対称な一足の靴であって、非対称な一足の靴は：第１のアッパーと、第１のアッパーに取り付けられた第１のソールとを有する第１の靴であって、第１のアッパーは、着用者の第１の足の第１の所定の動きのパフォーマンス中に第１のアッパーの少なくとも１つの部分に増大した支持を提供するように構成された第１の支持特徴を備え、第１のソールは、第１の足の第１の所定の動きのパフォーマンス中に第１のソールの少なくとも１つの部分に増大した牽引を提供するように構成された第１の牽引特徴を備える、第１の靴と；第２のアッパーと、第２のアッパーに取り付けられた第２のソールとを有する第２の靴であって、第１の支持特徴および第１の牽引特徴は、第２の靴の対応する鏡像位置に存在しない、第２の靴とを含む。
【図面の簡単な説明】
【００１１】
例示的な実施形態の以下の説明において、本願の一部を形成する以下の図に対する参照がなされ、その図において、例示として、本発明が生産および実施され得る具体的な実施形態が示されている。本発明の範囲から逸脱することなく、他の実施形態が利用され得、設計および／または構造的変更がなされ得ることを理解されたい。図は、例示のみのために提供され、本発明の読者の理解を容易にするために本発明の例示的な実施形態を単に描写するものであり、本発明の幅、範囲または適用可能性を限定するものとして考慮されるべきではない。例示の明確さおよび簡単さのためにこれらの図面が必ずしも正寸ではないことに留意されたい。
【図１】図１Ａ〜１Ｄは、ゴルフスイングの様々な段階中のゴルファーの前および後足における鉛直力の度合の例示的なトップダウンパース図を示している。
【図２】図２Ａ〜２Ｄは、ゴルフスイングの様々な段階中にゴルファーの前および後足に働く方向性水平力の例示的なトップダウンパース図を示している。
【図３】図３Ａおよび３Ｂは、それぞれ、ゴルファーのバックスイングの２つの中間段階中にゴルファーの後足に働く方向性水平力の例示的なトップダウンパース図を示している。
【図４】図４Ａおよび４Ｂは、それぞれ、ゴルファーのフォワードスイングの２つの中間段階中にゴルファーの前足に働く方向性水平力の例示的なトップダウンパース図を示している。
【図５】図５Ａおよび５Ｂは、それぞれ、本発明の１つの実施形態に従った前および後ゴルフ靴内へ組み込まれ得る方向性牽引およびグルーブ要素のトップダウンパース図を示している。
【図６】図６Ａおよび６Ｂは、それぞれ、本発明の１つの実施形態に従ったゴルファーの後（右）靴の様々な特徴の例示的な側面図および上面図を示しており、いくつかの領域または特徴が例示のために透明に示されている。
【図７】図７Ａおよび７Ｂは、それぞれ、本発明の１つの実施形態に従ったゴルファーの前（左）靴の様々な特徴の例示的な側面図および上面図を示しており、いくつかの領域または特徴が例示のために透明に示されている。
【図８】図８Ａおよび８Ｂは、本発明の１つの実施形態に従った後（右）靴のパース側面図（それぞれ、側部（アウターステップ）図および内側（インステップ）図）を示している。
【図９】図９Ａおよび９Ｂは、本発明の１つの実施形態に従った前（左）靴のパース側面図（それぞれ、側部（アウターステップ）図および内側（インステップ）図）を示している。
【図１０】図１０は、本発明の１つの実施形態に従ったゴルファーの前（左）靴のパース側面側部図を示している。
【図１１】図１１Ａおよび１１Ｂは、それぞれ、本発明の１つの実施形態に従ったゴルファーの非対称靴の後（右）および前（左）ソールのパース底面図を示している。
【図１２】図１２Ａおよび１２Ｂは、本発明の１つの実施形態に従った牽引要素のパース図、およびアウトソール上のそのような牽引要素の例示的な配置を示している。
【発明を実施するための形態】
【００１２】
（実施形態の説明）
（本発明の例示的な実施形態の詳細な説明）
例示的な実施形態の以下の説明において、本願の一部を形成する添付図面に対する参照がなされ、その図において、例示として、本発明が実施され得る具体的な実施形態が示されている。本発明の範囲から逸脱することなく、他の実施形態が利用され得、構造的変更がなされ得ることを理解されたい。本発明の様々な実施形態および特徴がゴルフ靴のコンテキストで後述されているが、本発明の様々な特徴および利点が、異なる左および右足の動きを要求または促進する他のタイプのスポーツ活動中に使用される靴に適用されることが可能であることは当業者に明白である。
【００１３】
いずれのゴルファーも知っているように、力および一貫性が「肝心要」である。スイング中に前および後足に適用される異なる力を考慮して左および右靴を設計することによって、１つの実施形態において、本発明は、スイング中の各前および後足の動きおよび移動についての各靴のパフォーマンスおよび特性を最適化する。
【００１４】
図１Ａ〜１Ｄは、ゴルフスイングの様々な例示的な段階中の右利きのゴルファーの左および右足の上の鉛直力の分布を示している。これらの図は、さらに、概して、ゴルフスイング中にどのように前および後足が移動するかを示しており、結果的に、足ごとに異なる鉛直力が示されている。各図において左足と右足との間に提示されている棒グラフは、ゴルフスイングの異なる段階中の各足の上の相対的な力の分布を図形的に表している。加えて、各足の上の陰影の度合または密度は、概して、ゴルフスイングの異なる段階中に各足の異なる部分上に働く典型的な鉛直力を表している。
【００１５】
図１Ａに示されているように、ゴルファーがゴルフボールにアドレスしているときのゴルフスイングの最初において、ゴルファーの体重は、典型的に一様に前（左）および後（右）足の両方の上に分布しており、結果的に、各足の底面領域の大部分にわたって鉛直力の一様な分布が適用されている。図１Ｂに示されているように、ゴルファーがバックスイングのトップに達したとき、そのゴルファーの体重の大部分、したがって鉛直力の大部分は、そのゴルファーの後足に移る。ゴルファーがダウンスイングし始めると、そのゴルファーの体重は、そのゴルファーの前足に再び移り始め、図１Ｃに示されているように、クラブヘッドがゴルフボールをインパクトするとき、そのゴルファーの体重の大部分、したがって鉛直力は、前足に移る。図１Ｄに示されているように、スイングの最後において、そのゴルファーの体重のほぼ８０％またはそれより多い体重がそのゴルファーの前足の側縁部分に移って、ゴルファーの体重の小部分のみがそのゴルファーの後ろ足の親指部分によって支持されている。
【００１６】
上述されている鉛直力に加えて、ゴルフスイングの異なる段階およびこれらの段階間の移行中に異なる方向性水平力がゴルファーの前および後足に作用する。図２Ａ〜２Ｄは、ゴルフスイングの異なる例示的な段階中にゴルファーの前および後足に働く典型的な方向性水平力を示しており、矢印は、水平力の方向を指し示し、矢印の陰影の度合は、そのような水平力の相対的な強度を指し示す（陰影が暗いほど、力は強い）。
【００１７】
図２Ａに示されているように、ゴルファーがゴルフボールにアドレスしているときのスイングの最初において、そのゴルファーの体重は、両足の上に典型的に一様に分布しており、両足に働く方向性水平力は、概して、両足上で側部（外向き）方向である。図２Ｂに示されているように、ゴルファーがバックスイングのトップに達したとき、そのゴルファーの体重の大部分は、そのゴルファーの後（右）足に移り、後ろ足上の方向性水平力は、後足に関して側部向きかつ少し後ろ向き（すなわち、紙面に対して下向き角度）の方向である。ゴルファーがダウンスイングし始めると、そのゴルファーの体重は、そのゴルファーの前足に戻って再び移り始め、図２Ｃに示されているように、クラブヘッドがゴルフボールをインパクトするとき、そのゴルファーの体重の大部分は、前足に移り、前足上の方向性力は、前足に関して側部向きかつ少し後ろ向きの方向である。スイングの最後において、そのゴルファーの体重のほぼ８０％またはそれより多い体重がそのゴルファーの前足の側縁部分に移って、ゴルファーの体重の小部分のみがそのゴルファーの後ろ足の親指部分によって支持されている。図２Ｄに示されているように、スイングにおけるこの時点で、側部向きかつ後ろ向きの方向の相対的にほんの少量の方向性水平力が前足に働く。
【００１８】
図３Ａおよび３Ｂは、それぞれ、バックスイング中の中間移行段階時およびバックスイングのトップ時の後足に働く異なる方向性水平力を示している。これらの図が示しているように、水平力の方向は、図３Ａ中に矢３２によって指し示されている側部向きで少し前向きの方向から、図３Ｂ中に矢３４によって指し示されている側部向きで少し後ろ向きの方向へ変化する。本発明の１つの実施形態において、より詳細に後述されるように、後靴の牽引要素は、バックスイング中の後靴のパフォーマンスを最適化するように、バックスイング中に働くこれらの水平方向性力を補償する。
【００１９】
図４Ａおよび４Ｂは、それぞれ、フォワードスイング中の中間移行段階時およびゴルフボールとのインパクト時の前足に働く異なる方向性水平力を示している。これらの図が示しているように、水平力の方向は、図４Ａ中に矢４２によって指し示されている側部向きで少し前向きの方向から、図４Ｂ中に矢４４によって指し示されているインパクト時の実質的に側部方向へ変化する。本発明の１つの実施形態において、より詳細に後述されるように、前靴の牽引要素は、フォワードスイング中の前靴のパフォーマンスを最適化するように、フォワードスイング中に働くこれらの水平方向性力を補償する。
【００２０】
上述されている例示的な図１Ａ〜４Ｂによって指し示されているように、前および後足は、ゴルフスイング中に異なってふるまい、靴ごとに、異なる牽引、支持、可撓性、バランスおよび安定性特性を要求し、これらのファクタは、相互に排他的ではない。
【００２１】
図５Ａ、５Ｂは、それぞれ、左、右靴の底ソール１０２、１０４のトップダウンパース図を示しており、本発明の１つの実施形態に従って、左および右靴は、それぞれ、非対称方向性牽引要素１０６および１０８を有する。議論および例示のために、少なくとも各線セグメントに垂直である方向への移動または滑走に抵抗するように牽引要素が構成されることを表す相対的に小さい線セグメントとして方向性牽引要素１０６および１０８が示されている。当業者によって理解されるように、方向性牽引要素１０６および１０８の実際の数、形状および大きさは、図５Ａおよび５Ｂに示される線セグメントに必ずしも類似する必要はないが、むしろ、様々な所望の把持特性（例えば、１つ以上の方向への横滑りに抵抗する）を達成する様々な所望の形状、大きさおよび構成であり得る。
【００２２】
加えて、様々な方向性牽引要素１０６および１０８の深さまたは有効性は、所望の牽引特性を達成するように変化させられ得る。例えば、図５Ａに示されているように、方向性牽引要素１０６の陰影の度合は、底ソール１０２の側部面からソール１０２の内側面へ移動するにつれて減少し、これは、方向性牽引要素１０６の深さまたは有効性がソール１０２の側部面においてより大きく、ソール１０２の内側面に向かって減少することを表す。より詳細に後述されるように、より大きいおよび／またはより深い牽引要素（例えば、クリート、スパイクなど）は、より有効な牽引を達成するために用いられ得、より小さいおよび／またはより浅い牽引要素は、所望のより有効でない牽引を達成するために用いられ得る。本発明の様々な実施形態に従って、牽引要素の様々な大きさ、形状および構成は、所望の特性を達成するために用いられ得る。
【００２３】
図５Ａは、さらに、左ソール１０２の側縁に沿っておよびその側縁に近位に延びている１対の長手方向グルーブまたはチャネル１１０を示している。長手方向グルーブ１１０は、例えばゴルフスイング中に、グルーブに沿ったソールの屈曲を容易にする。スイングの最終段階中に、長手方向グルーブ１１０は、左ソールの屈曲を容易にして、ゴルフスイングの最終セグメント中に、左（前）足が側方に回転し、内側部分、すなわち靴のインステップが地面の上に上昇するときに、ソールの外左縁部分がより簡単に地面と接触したままであることが可能であるようにし、それによって、スイングの最後において増大した牽引を提供する。図５Ａは、２つの長手方向グルーブ１１０を示しているが、代替的な実施形態において、１つ、３つまたはそれより多い長手方向グルーブが、スポーツ活動中に起こる様々な予期される足の動きを考慮して、様々な所望のパフォーマンス特性を容易にするために実装され得る。数を変化させることに加えて、長手方向グルーブの位置、長さ、幅および／または深さが、さらに、特定のスポーツ活動（例えば、ゴルフ）中に典型的に起こる適切な靴の動きを容易にすることによって靴のパフォーマンスを最適化するように変化させられ得る。
【００２４】
同様に、図５Ｂに示されているように、右ソール１０４は、靴のつま先部分の近位に位置する１つ以上の斜めグルーブまたはチャネル１１２を含み、それにより、ゴルファーの右（後）足のヒールを上昇させてヒールが右靴のつま先部分によって支持されるときに、スイングの最後において、グルーブに沿ったソールの屈曲が可能または容易となる。したがって、スイングの最終段階中に、側部グルーブは、右ソールの屈曲を容易にして、ゴルフスイングの最終セグメント中に右ヒールを上昇させるときに、ソールの内つま先部分がより簡単に地面と接触したままであることが可能であるようにし、それによって、スイングの最後において、増大した牽引を提供する。したがって、左靴と右靴との間で異なる各靴の底ソール上の例示的なグルーブは、ゴルフスイング中の左および右足の異なる移動を可能または容易にする。
【００２５】
図６Ａおよび６Ｂは、本発明の１つの実施形態に従って、ゴルフスイング中の靴のパフォーマンスを改善するように異なる水準の支持および／または可撓性を提供するための異なる区域を含むアッパー部分１２０を有する後（例えば、右）靴１１８のパース図を示している。陰影領域１２２は、向上した支持区域１２２に対応し、向上した支持区域１２２は、アッパー１２０のヒール部分に対して側中央部に位置し、バックスイング中にアッパーのその領域内に働く増大した外向き圧力および力が理由でより大きな支持および可撓性を提供するように設計されている。アッパーのこの領域内の増大した支持および可撓性は、結果的に、バックスイング中のより大きな安定性および快適さとなる。この領域内の支持および可撓性を増大させるための様々な技術が実装され得る。１つの実施形態において、より詳細に後述されているように、向上した支持区域１２２は、支持区域１２２の各領域内でサドルおよび／または拡大されたヒールカウンターを利用することによって提供される。代替的に、別の実施形態において、向上した支持区域１２２は、支持区域１２２内のアッパー材料（例えば、通気性皮革）の厚さを増大させることおよび／または所望の支持および可撓性特質を提供する異なる材料または材料の組み合わせを利用することによって実装され得る。１つの実施形態において、アッパー１２０の残りの非陰影部分は、向上した支持区域１２２より小さい支持および／または可撓性を提供する領域である。
【００２６】
図６Ａに示されているように、靴１１８は、さらに、ミッドソール１２３ａおよびアウトソール１２３ｂを備えるソール１２３を含む。ミッドソール１２３ａとアウトソール１２３ｂとの間の例示的な境界線１２４が、図６Ａに破線として示されている。様々な実施形態において、ミッドソール１２３ａおよびアウトソール１２３ｂは、異なる材料から作られ、かつ／または異なる材料特質および特性を有することにより、所望のパフォーマンスおよび／または快適特性を提供し得る。複数の牽引要素１０８がアウトソール１２３ｂの底面に取り付けられ、そこから外向きに延在する。アッパー１２０は、さらに、着用者の足を靴１１８の中へ挿入した後に着用者の足のトップ部分をカバーしてその部分にクッションを提供する可撓タン１２８を含む。
【００２７】
図６Ｂに示されているように、後ソールは、さらに、アッパー部分の側部縁部と内側縁部との間のほぼ真ん中でアッパー１２０のトップ部分上に位置する従来のクロージャー１３０を含み、この位置は、従来のクロージャー位置である。タン１２８は、クロージャー１３０の一部であり、トップ入口穴１３２を通って靴１１８の中へ挿入された後に着用者の足周りでクロージャー１３０を締めて固定するために使用される靴ひも（示されていない）または他の固定手段に対するクッションを着用者の足のトップ上に提供する。１つの実施形態において、クロージャー１３０は、クロージャー１３０の対向するリップまたは縁部分１３４および１３６に沿って位置する補強されたひも穴（示されていない）を通って挿入され得る従来の靴ひも（示されていない）によって着用者の足周りで締められて固定され得る。代替的な実施形態において、従来のひもの代わりに、リールベースのひもシステムが、着用者の足周りでクロージャー１３０を締めて固定するために組み込まれ得る。リールベースのひもシステムの例、および同様のシステムが、例えば、米国特許番号７，９５０，１１２Ｂ２、米国特許番号８，３８１，３６２Ｂ２、米国特許番号８，４６８，６５７Ｂ２、米国特許番号８，５１６，６６２Ｂ２、米国公開番号２０１３／００９２７８０Ａ１、米国公開番号２０１４／０１２３４４９Ａ１、および米国公開番号２０１４／０２０８５５０Ａ１に開示されており、これら全ては、Ｂｏａ  Ｔｅｃｈｎｏｌｏｇｉｅｓ，Ｉｎｃ．（Ｄｅｎｖｅｒ、Ｃｏｌｏｒａｄａ、Ｕ．Ｓ．Ａ．）に譲渡されており、それらのそれぞれは、参照により、その全体が本明細書に援用される。図６Ｂにさらに示されているように、アッパー１２０は、つま先湾曲区域１３８を含み、つま先湾曲区域１３８は、ゴルフスイングの最終段階中にゴルファーの右ヒールを上昇させるときに（例えば、つま先湾曲区域１３８内の）破線に沿った屈曲および湾曲を促進および容易にするためにアッパー１２０の他の区域と比較したときより可撓性があるように設計されている。
【００２８】
図７Ａおよび７Ｂは、本発明の１つの実施形態に従って、ゴルフスイング中の靴のパフォーマンスを改善するように異なる水準の支持および／または可撓性を提供するための異なる区域を含むアッパー部分１５２を有する前（例えば、左）靴１５０のパース図を示している。前靴１５０は、さらに、ミッドソール部分１５３ａおよびアウトソール部分１５３ｂを備えるソール１５３を含み、ミッドソール部分１５３ａおよびアウトソール部分１５３ｂのそれぞれは、所望の物理的特性を提供するために様々な公知材料から作られることが可能である。ミッドソール１５３ａおよびアウトソール１５３ｂについての例示的な材料は、より詳細に後述されている。本発明の１つの実施形態に従って、ミッドソール１５３ａとアウトソール１５３ｂとの間の境界が、図７Ａに例示的な破線として示されている。更なる実施形態において、長手方向グルーブまたはチャネル１５４は、ミッドソール１５３ａとアウトソール１５３ｂとの間の側外部表面に沿って提供される。長手方向グルーブ１５４は、ゴルフスイングの最終段階中にミッドソール１５３ａおよび１５３ｂがともに圧縮されるときに前足の側部回転の動きを容易にする。
【００２９】
図７Ａに示されているように、アッパー１５２は、アッパー１５２の足の前部分に対して側中央部に位置する（陰影領域１５６として示されている）向上した支持区域１５６を含む。この支持区域１５６は、ゴルフスイングのフォワードスイングおよびフォロースルー段階中にアッパーのその領域内に働く増大した外向き圧力および力が理由でより大きな支持および可撓性を提供するように設計されている。アッパーのこの領域内の増大した支持および可撓性は、結果的に、フォワードスイングおよびフォロースルー中のより大きな安定性および快適さとなる。この領域内の支持および可撓性を増大させるための様々な技術が実装され得る。１つの実施形態において、より詳細に後述されているように、増大した支持区域１５６は、支持区域１５６の各領域内でサドルおよび／またはエナジースリングによって提供される。代替的な実施形態において、増大した支持区域１５６は、支持区域１５６内の材料（例えば、通気性皮革）の厚さを増大させることおよび／または支持区域１５６内で所望の支持および可撓性特性を有する異なる材料または材料の組み合わせを利用することによって提供され得る。１つの実施形態において、アッパー１５２の残りの非陰影領域は、より小さい支持および可撓性を要求する。
【００３０】
線１５８が、通常の歩行および／またはゴルフをプレーすることの結果として生じ得るアッパー１５２の潜在的または例示的な屈曲部分を表すので、アッパー１５２は、さらに、線１５８が存在する領域によって概して指し示される湾曲区域１５８を含む。より詳細に後述されているように、アウトソール１５３ｂ上に設置される１つ以上のグルーブは、通常の歩行および／またはゴルフのプレー中における、アウトソール１５３ｂ、したがって、湾曲区域１５８内のアッパー１５２の屈曲を容易にする。アッパー１５２は、さらに、靴１５０の中へ挿入された着用者の足のトップ部分をカバーしてその部分にクッションを提供するための可撓タン１６０を含む。図６Ｂに示されているように、タン１６０は、アッパー１５２のトップ上に位置する非対称クロージャー１６２の一部である。
【００３１】
図６Ｂと対照的に、図７Ｂは、前靴が、靴開口部１６４から離れて移動するにつれてアッパーの内側領域により近接して移動されて内側面に向かって曲げられるような、アッパー１５２上の非対称クロージャー１６２についての改変された位置を含むことを示している。このようにして、支持区域１５６の領域は、支持区域１５６内に増大した支持および可撓性を提供するように増大または最大化されることが可能である。１つの実施形態において、前靴１５０の支持区域１５６は、ゴルフスイング中のパフォーマンスおよび歩行中の快適さを最適化する増大した支持および可撓性を提供するように設計されている。
【００３２】
タン１６０は、非対称クロージャー１６２の一部であり、靴１５０の中へ挿入された後に着用者の足周りでクロージャー１６２を締めて固定するために使用される靴ひも（示されていない）または他の固定手段に対するクッションを着用者の足のトップ上に提供する。１つの実施形態において、非対称クロージャー１６２は、非対称クロージャー１６２の対向するリップまたは縁部分１６６および１６８に沿って位置する補強されたひも穴（示されていない）を通って挿入され得る従来の靴ひも（示されていない）によって着用者の足周りで締められて固定され得る。図６Ｂに関連して上述されているように、代替的な実施形態において、従来のひもの代わりに、リールベースのひもシステム、または同様のシステムが、着用者の足周りで非対称クロージャー１６２を締めて固定するために組み込まれ得る。
【００３３】
図８Ａおよび８Ｂは、それぞれ、本発明の１つの実施形態に従った後（この場合、右）靴２００のパース側面の側部および内側図を示している。本明細書により詳細に論じられているように、後靴２００は、対応する前靴３００に対して異なる（すなわち、非対称）複数の設計特徴を有し、対応する前靴３００は、図９Ａおよび９Ｂに対してより詳細に後述されている。図８Ａに示されているように、後靴２００は、アッパー２０２、アッパー２０２の底部分に取り付けられているミッドソール２０４、およびミッドソール２０４の底部分に取り付けられているアウトソール２０６を含み、ミッドソール２０４がアッパー２０２とアウトソール２０６との間に挟まれるようにする。複数の牽引要素２０８は、アウトソール２０６の底面から外向きに延在し、地面（例えば、芝生）を係合するときに牽引および把持力を提供する。ミッドソール補強構造２１０は、ミッドソール２０４に取り付けられており、ミッドソール２０４のヒール部分に沿ってミッドソール２０４の上部分を包囲し、ミッドソール２０４のヒール領域から足の前部領域に向かって進むにつれてミッドソール２０４の側面領域全体を実質的にカバーするまでカバー範囲を増大させている。１つの実施形態において、ミッドソール補強構造２１０は、補強構造２１０によってカバーされているミッドソール２０４の各部分が外向き方向に崩壊または実質的に伸縮することを実質的に妨げる相対的に密なエチルビニルアセテート（ＥＶＡ）または熱可塑性ポリウレタン（ＴＰＵ）材料から作られ、それによって、ミッドソール２０４に増大した強度および安定性を提供する。
【００３４】
図８Ａは、さらに、後（右）靴２００が、拡大された外部支持構造（別名「拡大されたヒールカウンター」）２１２を含むことを示しており、拡大された外部支持構造２１２は、アッパー２０２の後ろヒール部分においてアッパー２０２の外表面に取り付けられて、靴２００のこの領域に増大した強度および支持を提供する。この増大した強度および支持は、バックスイング中にアッパー２０２のこの領域に後足によって働く増大した力および外向きの圧力に起因して望ましい。１つの実施形態において、拡大されたヒールカウンター２１２は、アッパーの後ろ外部分が外向き方向に崩壊または実質的に伸縮することを実質的に妨げる相対的に密なＥＶＡまたはＴＰＵ材料から作られ、それによって、靴のこの領域に増大した強度および安定性を提供する。従来の靴において、ヒールカウンターは、両靴で同じ形状である。拡大されたヒールカウンター２１２の配置、大きさおよび形状は、本発明の様々な実施形態に従って、ゴルフスイング中に前および後靴のヒール部分に適用される異なる力および応力を補償するように前および後靴について異なって設計されており、それによって、スイング全体にわたって増大したスイング有効性および安定性を提供する。
【００３５】
図８Ａおよび８Ｂに示されているように、アッパー２０２は、さらに、サドル２１４を含み、サドル２１４は、靴２００の中央部分に取り付けられ、アッパー２０２の内側面および側部面の両方の上でクロージャー部分２１６から補強構造２１０へ延在する。サドル２１４は、様々な公知の材料または材料の組み合わせから作られ得、様々な構成（例えば、大きさ、形状、厚さなど）で実装され得る。クロージャー部分２１６は、タン２１８および靴ひも２２０を含み、靴ひも２２０は、着用者の足のトップ部分周りでクロージャー２１６を締めて固定する。サドル２１４は、アッパー２０２の中央部分を補強し、靴２０２のこの領域に向上した支持および安定性を提供する。様々な実施形態において、サドル２１４は、所望の強度、補強および／または可撓性特質を達成するように、当該分野において公知の様々な材料（例えば、ＴＰＵ、ゴム、皮革、合成皮革、織物およびＰＵなど）またはこれらの材料の任意の組み合わせから作られ得る。
【００３６】
図８Ｂは、後（この場合、右）靴２００のパース側面の内側図を示している。図８Ｂは、図８Ａに示されている要素と同じ要素を多く示しており、それらの多くを再びさらに論じる必要はない。しかしながら、後靴２００の側部面と比較したときに後靴２００の内側面間にいくつかの差異が存在する。例えば、内側面上のヒールカウンター２１２の構造は、側部面上の構造と異なる。１つの実施形態において、図８Ａと比較したときに図８Ｂに示されているように、内側面上のヒールカウンター構造２１２は、「拡大された」ものではなく、したがって、アッパー２０２のこの領域に、アッパー２０２の側部面上の対応するヒール領域と比較したときより小さい剛性および安定性を提供する。これは、側部面のヒール領域と比較したときより小さい力が、ゴルフスイング中に後靴２００の内側面上のヒール領域に働くからである。さらに、内側面上のヒールカウンター２１２に対して使用される材料の量を減少させることによって、本発明は、靴の全重量を減少させる一方で、アッパー２０２のこの部分に対する過度な剛性なしに十分な支持を提供する。
【００３７】
加えて、図８Ｂに示されているように、ミッドソール２０４、アウトソール２０６およびミッドソール補強構造２１０の各設計および形状は、図８Ａに示されている側部面上の対応する構造と比較して、内側面上で異なっている。１つの実施形態において、ミッドソール補強構造２１０は、靴２００の側部面上において、靴２００の内側面上よりも、大きさが大きくて、多くの材料（例えば、ＥＶＡ）を備える。側部面上のより強いミッドソール補強構造２１０は、側部面上の支持を増大させることを促進する一方で、内側面上のより弱いミッドソール補強構造２１０は、ゴルフスイングの様々なバックスイングとフォワードスイング段階の最初との間の滑らかな移行を促進する。
【００３８】
図９Ａおよび９Ｂは、それぞれ、本発明の１つの実施形態に従った前（この場合、左）靴３００のパース側面の側部および内側図を示している。前靴３００は、アッパー３０２、アッパー３０２の底部分に取り付けられているミッドソール３０４、およびミッドソール３０４に取り付けられているアウトソール３０６を含み、ミッドソール３０４がアッパー２０２とアウトソール３０６との間に挟まれるようにする。複数の牽引要素３０８は、アウトソール３０６の底面から外向きに延在し、地面（例えば、芝生）を係合するときに牽引および把持力を提供する。ミッドソール補強構造３１０は、ミッドソール３０４に取り付けられており、ミッドソール３０４のヒール部分に沿ってミッドソール３０４の上部分を包囲し、ミッドソール３０４のヒール領域から足の前部領域に向かって進むにつれてミッドソール３０４の側面領域全体を実質的にカバーするまでカバー範囲を増大させている。１つの実施形態において、ミッドソール補強構造３１０は、補強構造３１０によってカバーされているミッドソール３０４の各部分が外向き方向に崩壊または実質的に伸縮することを実質的に妨げる相対的に密なＥＶＡまたはＴＰＵ材料から作られ、それによって、ミッドソール３０４に増大した強度および安定性を提供する。
【００３９】
図９Ａは、さらに、前靴３００が外部支持構造（別名「ヒールカウンター」）３１２を含むことを示しており、外部支持構造３１２は、アッパー３０２の後ろヒール部分においてアッパー３０２の外表面に取り付けられて、この領域内で靴を剛性にしすぎることなく靴３００のこの領域に付加的な支持を提供する。前靴３００の側部面上では、ヒールカウンター３１２は、広範囲ではないが、靴３００の内側面上では、ヒールカウンター３１２は、広範囲であり、アッパー３０２の内側ヒール部分に余分な支持および強度を提供する。これは、図８Ａおよび８Ｂに対して上述されている後靴２００の内側および側部ヒール領域に対するヒールカウンター２１２と逆の構成であることに留意されたい。１つの実施形態において、ヒールカウンター３１２は、アッパー３０２の後ろ外部分が外向き方向に崩壊または実質的に伸縮することを実質的に妨げる相対的に密なＥＶＡまたはＴＰＵ材料から作られ、それによって、靴のこの領域に増大した強度および安定性を提供する。
【００４０】
図９Ａおよび９Ｂに示されているように、アッパー３０２は、さらに、サドル３１４を含み、サドル３１４は、靴３００の中央部分に取り付けられ、アッパー３０２の内側面および側部面の両方の上でクロージャー部分３１６から補強構造３１０へ延在する。クロージャー部分３１６は、タン３１８および靴ひも３２０を含み、靴ひも３２０は、着用者の足のトップ部分周りでクロージャー３１６を締めて固定する。サドル３１４は、アッパー３０２の中央部分を補強し、アッパー３０２のこの領域に向上した支持および安定性を提供する。１つの実施形態において、アッパー３０２の側部面上のサドル３１４は、ミッドソール３０４の上部にあたるときに、後靴２００のサドル２１４と比較したときより広く広がっている。代替的に、または加えて、サドル３１４の大きさ（例えば、長さ、幅、厚さ）および材料特質は、所望に変化させて所望の安定性および／または可撓性特性を提供することが可能である。前靴アッパー３０２のこの領域内に提供される向上した可撓性および支持は、例えばゴルフスイングの最終段階中の改善された快適さおよび安定性を提供する。様々な実施形態において、サドル３１４は、所望の強度、補強および／または可撓性特質を達成するように、当該分野において公知の様々な材料（例えば、ＴＰＵ、ゴム、皮革、合成皮革、織物およびＰＵなど）またはこれらの材料の任意の組み合わせから作られ得る。
【００４１】
図９Ａにさらに示されているように、１つの実施形態において、前靴３００は、さらに、アッパー３０２の靴の前部分に取り付けられた「エナジースリング」３２２を含む。１つの実施形態において、エナジースリング３２２は、ゴルフスイングの最終段階中のアッパーのその領域内の安定化された伸縮、および外向きに働く力の減衰を可能にするように設計されている。１つの実施形態において、エナジースリング３２２の下の皮革は、スイングの最終段階中のこの領域内のアッパー３０２の伸縮を容易にするために、アッパー３０２の他の部分より薄い。エナジースリングは、元の状態に実質的にリバウンドする可撓な伸縮性材料から作られて、スイングの最終段階中に前足がアッパー３０２のこの領域内へ圧迫すると、向上した強度、支持および減衰力を提供する。１つの実施形態において、エナジースリングは、剛性な熱硬化性ポリウレタン（ＲＰＵ）から作られる。
【００４２】
図９Ｂは、前（この場合、右）靴３００のパース側面の内側図を示している。図９Ｂは、図９Ａに示されている要素と同じ要素を多く示しており、それらの多くを再びさらに論じる必要はない。しかしながら、前靴３００の側部面と比較したときの前靴３００の内側面間のいくつかの差異は、指摘するに値する。例えば、内側面上のヒールカウンター３１２の構造は、側部面上の構造と異なる。１つの実施形態において、図９Ｂを図９Ａと比較すると、内側面上のヒールカウンター構造３１２は、広範囲であり、したがって、側部面上の対応するヒール領域と比較したときにアッパー３０２のこの領域に増大した剛性、強度および支持を提供する。この増大した強度および支持は、バックスイング中にアッパー３０２のこの領域に前靴によって働く増大した力および外向き圧力に起因して望ましい。したがって、側部面上のヒール領域と比較したときより更なる力が、ゴルフスイング中に前靴３００の内側面上のヒール領域に働く。さらに、側部面上のヒールカウンター３１２に対して使用される材料の量を減少させることによって、本発明は、靴３００の全重量を減少させる一方で、側部面上のアッパー３０２のヒール部分に、十分な支持を提供するが、過度な剛性を提供しない。１つの実施形態において、前靴３００についてのヒールカウンター３１２の構成および設計は、図８Ａおよび８Ｂに対して上述されている後靴２００についてのヒールカウンター２１２の構成および設計の逆である。これは、上述されているように、ゴルフスイング中に、前および後足が異なって移動して、異なる鉛直および水平力が、それぞれ、前靴３００および後靴２００に働くからである。
【００４３】
図９Ａおよび９Ｂを比較することにより、さらに、エナジースリング３２２がアッパー３０２の側部（すなわち、外）面（図９Ａ）でより強い一方でより弱いバージョンのエナジースリング３２４がアッパーの内側面（図９Ｂ）上に提供されていることが明らかとなる。１つの実施形態において、エナジースリング３２２は、側部面上でゴム材料に接着または接合されるＴＰＵ材料を有するゴム材料から作られる一方で、いずれのＴＰＵ材料も内側面上でゴム材料に取り付けられない。代替的な実施形態において、いずれのエナジースリングもアッパー３０２の内側面上に提供されない。エナジースリング３２２および３２４（任意）は、アッパーを剛性にしすぎることなくかつ着用者にとって不快であることなく、インパクトおよびフォロースルー時にアッパー３０２に増大した支持を提供する。１つの実施形態において、サドル３１４と併せて機能すると、エナジースリング３２２および３２４は、ゴルフスイング中に、より滑らかなエネルギー伝達を促進する一方で増大したアッパー安定性を提供し、通常の歩行中に、増大したフィットおよび快適さを提供する。
【００４４】
図１０は、本発明の更なる実施形態に従った前靴３４０のパース側面の側部図を示している。図１０の前靴３４０は、図９Ａおよび９Ｂに対して示されて上述されている前靴３００と同じ特徴および要素を含むが、ミッドソール補強構造３１０’のヒール部分からアウトソール３０６のヒール部分へ延在する付加的な支持ブリッジ３４２を含む。付加的な支持ブリッジ３４２は、ミッドソール３０４の側部ヒール部分をさらに補強および支持して、ゴルフスイングの様々な段階、特に最終段階中のこの域内のミッドソール３０４の過度な圧縮および／または変形を妨げるようにする。
【００４５】
１つの実施形態において、ミッドソール３０４は、Ｂｏｏｓｔ（登録商標）フォーム材料から作られ、このフォーム材料は、より詳細に後述されている。図１０に示されているように、本発明の１つの実施形態によると、スイング中に支持の付加的な「ブリッジ」を提供するために、左および右足の必要性に基づいて、付加的な支持構造は、戦略的領域内でミッドソール３０４Ｂｏｏｓｔ（登録商標）フォーム材料にはめ込まれるかまたは取り付けられることが可能である。したがって、Ｂｏｏｓｔ（登録商標）フォーム材料に加えて、ミッドソール層の様々な部分が、ソールの動的および／またはリバウンド特質を変化させるために、より大きな剛度、剛性、または他の所望の特質を提供する代替的な材料から形成されることが可能である。更なる実施形態において、Ｂｏｏｓｔ（登録商標）フォームの形状は、スイング中に靴ごとに要求される所望の水準のクッション性、フットワークおよび／または安定性を促進するために、左および右足について異なる可能性がある。
【００４６】
図１１Ａ、１１Ｂは、それぞれ、本発明の１つの実施形態に従った後靴２００、前靴３００のアウトソール２０８、３０８の底面のパース図を示している。図１１Ａおよび１１Ｂを比較すると、アウトソール２０８および３０８は、各靴に適用される異なる力および応力を補償してゴルフスイング中の後および前足の異なる移動を容易にするために、互いに比較したときに異なる非対称な構成、特徴および牽引要素を有し、それによって、ゴルフスイング中の各靴のパフォーマンスおよび牽引を最適化する。特に、牽引要素の数、配置、大きさおよび／または形状は、後アウトソール２０８と前アウトソール３０８との間で異なり得る。加えて、各アウトソール２０８および３０８の屈曲を容易にするために使用されるグルーブまたはチャネルの数、配置、大きさおよび形状は、アウトソール２０８とアウトソール３０８との間で異なる。
【００４７】
図１１Ａを参照すると、後靴２００のアウトソール２０８は、７つの牽引区域２５０ａ、２５０ｂ、２５０ｃ、２５０ｄ、２５０ｅ、２５０ｆおよび２５０ｇを含み、それらは、６つのチャネルまたはグルーブ２６０ａ、２６０ｂ、２６０ｃ、２６０ｄ、２６０ｅおよび２６０ｆによって互いから離間されている。各牽引区域は、牽引区域の底面から外向きに延在する１つ以上の牽引要素２７０を含む。１つの実施形態において、図１１Ａに示されているように、複数の牽引区域（例えば、区域２５０ｂ、２５０ｃ、２５０ｄ、２５０ｆおよび２５０ｇ）の牽引要素２７０は、様々な大きさおよび構成の星形クリート要素であり得る一方で、いくつかの牽引区域（例えば、区域２５０ａおよび２５０ｅ）において、牽引要素は、四角または三角形クリート要素であり得る。クリート要素の様々な異なる構成、大きさおよび形状が、本発明の様々な実施形態に従って、所望の牽引特性を達成するために、異なる牽引区域内で利用され得る。
【００４８】
１つの実施形態において、牽引区域の少なくとも一部（例えば、区域２５０ｂ、２５０ｃ、２５０ｄ、２５０ｆおよび２５０ｇ）は、ＧｒｉｐＭｏｒｅ（登録商標）技術を使用して形成され、これらの区域において、複数のクリートおよび／または牽引要素２７０が可撓繊維布またはメッシュ織物裏張り２８０の底面に取り付けられ得、可撓繊維布またはメッシュ織物裏張り２８０は、それぞれの対応する牽引区域の大きさおよび形状に合うように切って形づけられる。１つの実施形態において、繊維布または織物裏張り２８０は、各牽引区域に対応するアウトソール２０８の対応する大きさおよび形状のぎざぎざの底面にしっかりと粘着される。ＧｒｉｐＭｏｒｅ（登録商標）技術は、より詳細に後述されている。アウトソール２０８は、さらに、牽引要素が存在しないアーチ支持域を含む。
【００４９】
１つの実施形態において、牽引区域２５０ｄは、最大牽引区域であり、牽引要素２７０の大部分を含む。図１１Ａに示されているように、牽引区域２５０ｃ内の牽引要素２７０、および牽引区域２５０ｄの側縁部分に沿った牽引要素２７０の少なくとも一部は、区域２５０ａ、２５０ｂ、および区域２５０ｄの内側部分に近い側の区域２５０ｄ内の牽引要素２７０より大きさが大きい。より大きい牽引要素２７０は、アウトソール２０８の対応する位置における増大した牽引のために、プレー表面（例えば、芝生）と接触するときに、増大した把持強度を提供する。ゴルフスイングのバックスイング段階中に、牽引区域２５０ｂ、２５０ｃおよび２５０ｄ内の牽引要素２７０は、鉛直および水平力の大部分がこれらの区域内に集中するので、ゴルファーに牽引および安定性を提供することにおいて支配的な役割を果たす。
【００５０】
牽引区域２５０ｆおよび２５０ｇは、概して、右足の母指球および親指位置に対応し、各々、アウトソール２０８上の牽引要素のうち最大の牽引要素である単一の大きい牽引要素２７０を含む。右ヒールが地面の上に上昇して、後靴の母指球および／またはつま先域のみが地面に接触したままであるとき、牽引区域２５０ｆおよび２５０ｇ内の大きい牽引要素２７０は、ゴルフスイングのインパクトおよび続く最終段階中に余分な把持強度を提供する。スイングのインパクトおよび最終段階中に、区域２５０ｆおよび２５０ｇ内の牽引要素２７０のより大きい大きさは、鉛直および水平力の大部分が集中する位置に増大した牽引を提供することによって、ゴルファーの安定性を増大させる。したがって、牽引区域２５０ｆおよび２５０ｇは、本発明の１つの実施形態に従って、スイングのインパクトおよびフォロースルー段階中に牽引および安定性を向上させる。
【００５１】
６つのグルーブ２６０ａ、２６０ｂ、２６０ｃ、２６０ｄ、２６０ｅおよび２６０ｆは、ゴルフスイングの様々な段階中および歩行中の各グルーブのそれぞれに沿ったアウトソール２０８の屈曲を可能または容易にして、後靴のパフォーマンスおよび快適さをさらに最適化する。上述されているように、アウトソール２０８のつま先および足の前部域内の斜めグルーブ２６０ａ、２６０ｂおよび２６０ｃは、グルーブに沿った増大した屈曲および可撓性を可能にして、後足の母指球および親指の上へ上昇する後ヒールの最終移動を容易にする。加えて、横断グルーブ２６０ｅおよび２６０ｆは、斜めグルーブ２６０ａ、２６０ｂおよび２６０ｃと併せて機能して、各グルーブに沿ってアウトソール２０８の可撓性を増大させてゴルフスイング中または通常の歩行中に後足により大きくより自然な範囲の動作を提供することによって、歩行中の靴２００の快適さをさらに増大させる。アウトソール２０８のヒール領域内の横断グルーブ２６０ｄは、歩行のために「クラッシュパッド」を提供するグルーブ２６０ｄに沿った屈曲および湾曲を可能にし、通常の踏み込みの動きの中でまずヒールが地面と接触してその後に足の前部部分が地面と接触するときのより滑らかな移行を可能にする。様々なグルーブ２６０ａ〜２６０ｆの構成および寸法は、異なる所望の可撓性特質を達成するように変化させられ得る。１つの実施形態において、グルーブは、幅が４から６ミリメートル（ｍｍ）であり得、深さが１から３ｍｍであり得る。更なる実施形態において、グルーブ２６０ａ〜２６０ｆの一部または全部は、１つ以上の切欠き部分２６１を有し得、この部分において、各グルーブを形成する材料の一部（例えば、ＴＰＵ）が、下にあるミッドソール材料（例えば、Ｂｏｏｓｔ（登録商標）フォーム）を露出させるために取り除かれている。紙のミシン目によってその紙がミシン目に沿ってより簡単に屈曲することが可能になる方法と同様の形式で、切欠き部分２６１は、グルーブ２６０ａ〜２６０ｆに沿った更なる可撓性および屈曲を容易にする。
【００５２】
図１１Ｂを参照すると、前靴３００のアウトソール３０８は、７つの牽引区域３５０ａ、３５０ｂ、３５０ｃ、３５０ｄ、３５０ｅ、３５０ｆおよび３５０ｇを含み、それらは、５つのチャネルまたはグルーブ３６０ａ、３６０ｂ、３６０ｃ、３６０ｄおよび３６０ｅによって互いから離間されている。各牽引区域は、牽引区域の底面から外向きに延在する１つ以上の牽引要素３７０を含む。１つの実施形態において、図１１Ｂに示されているように、複数の牽引区域（例えば、区域３５０ｂ、３５０ｄ、３５０ｅ、３５０ｆおよび３５０ｇ）の牽引要素３７０は、様々な大きさおよび構成の星形クリート要素であり得る一方で、いくつかの牽引区域（例えば、区域３５０ａおよび３５０ｃ）において、牽引要素は、四角または三角形クリート要素であり得る。クリート要素の様々な異なる構成、大きさおよび形状は、本発明の様々な実施形態に従って、所望の牽引特性を達成するために、異なる牽引区域内で利用され得る。
【００５３】
１つの実施形態において、牽引区域の少なくとも一部（例えば、３５０ｂ、３５０ｄ、３５０ｅ、３５０ｆおよび３５０ｇ）は、ＧｒｉｐＭｏｒｅ（登録商標）技術を使用して形成され、これらの区域において、複数のクリートおよび／または牽引要素２７０が可撓繊維布またはメッシュ織物裏張り２８０の底面に取り付けられ得、可撓繊維布またはメッシュ織物裏張り２８０は、それぞれの対応する牽引区域の大きさおよび形状に合うように切って形づけられる。１つの実施形態において、繊維布または織物裏張り３８０は、各牽引区域に対応するアウトソール２０８の対応する大きさおよび形状のぎざぎざの底面にしっかりと粘着される。ＧｒｉｐＭｏｒｅ（登録商標）技術は、より詳細に後述されている。
【００５４】
１つの実施形態において、アウトソール３０８の長手方向側部域に沿った牽引区域３５０ｂは、前靴３００のアウトソール３０８の最大牽引区域である。図１１Ｂに示されているように、アウトソール３０８の側縁部分に沿った牽引区域３５０ｂ内の牽引要素３７０は、アウトソール３０８の内側部分に近い側の他の区域内の牽引要素３７０より大きさが大きい。より大きい牽引要素３７０は、アウトソール３０８の対応する位置における増大した牽引のために、プレー表面（例えば、芝生）と接触するときに、増大した把持強度を提供する。上述されているように、ゴルフスイングのインパクトおよび最終段階中に、牽引区域３５０ｂ内の牽引要素３７０は、鉛直および水平力の大部分が前靴３００のこの側部区域内に集中するので、ゴルファーに牽引および安定性を提供することにおいて支配的な役割を果たす。１つの実施形態において、牽引区域３５０ｂは、アウトソール３０８の側部（すなわち、外）周辺領域に沿って、実質的に、つま先部分からアウトソール３０８のヒール部分までにわたっており、スイングの最終段階中に地面上に向上した把持の動きおよび牽引を提供するように構成される。
【００５５】
アウトソール３０８の内側部分に対応する牽引区域３５０ｄ、３５０ｅ、３５０ｆおよび３５０ｇは、前アウトソール３０８の区域３５０ｂと比較して前アウトソール３０８のこれらの区域内に鉛直および水平力の大部分が集中するので、スイングのバックスイング段階中により有意な役割を果たす。しかしながら、上述されているように、スイングのバックスイング段階中に、鉛直および水平力の大部分は、前靴３００のアウトソール３０８より高い水準の牽引を提供する必要がある後靴２００のアウトソール２０８に働く。
【００５６】
５つのグルーブ３６０ａ、３６０ｂ、３６０ｃ、３６０ｄおよび３６０ｅは、ゴルフスイングの様々な段階中および歩行中の各グルーブのそれぞれに沿ったアウトソール３０８の屈曲を可能および容易にして、前靴３００のパフォーマンスおよび快適さをさらに最適化する。アウトソール３０８のつま先および足の前部域内のグルーブ３６０ａ、３６０ｂおよび３６０ｃは、グルーブに沿った増大した屈曲および可撓性を可能にし、それによって、ゴルフスイング中または通常の歩行中に前足により大きくより自然な範囲の動作を提供することによって歩行中の靴３００の快適さを増大させる。アウトソール３０８のヒール領域内の横断グルーブ３６０ｄは、歩行のために「クラッシュパッド」を提供するグルーブ３６０ｄに沿った屈曲および湾曲を可能にし、通常の踏み込みの動きの中でまずヒールが地面と接触してその後に足の前部部分が地面と接触するときのより滑らかな移行を可能にする。１つの実施形態において、グルーブ３６０ａ、３６０ｂ、３６０ｃおよび３６０ｄは、幅が４から６ｍｍであり得、深さが１から３ｍｍであり得る。
【００５７】
図１１Ｂに示されているように、長手方向グルーブ３６０ｅは、本発明の１つの実施形態に従って、アウトソール３０８上で最長かつ最大のグルーブである。１つの実施形態において、グルーブ３６０ｅは、アウトソール３０８のつま先域からアウトソール３０８のヒール域までの全長に沿って実質的に延びている。上述されているように、ゴルフスイングの最終段階中に、ゴルファーの体重の大部分は、牽引区域３５０ｂに対応する前足の側部域に移る。これにより、鉛直および水平側部力の大部分が牽引区域３５０ｂ内に集中して、アウトソール３０８の内側部分から牽引区域３５０ｂが位置するアウトソール３０８の側部部分までの「回転」の動きが生じる。長手方向グルーブ３６０ｅは、アウトソール３０８の内側域と側部域との境界に沿った可撓性を増大させ、それによって、より滑らかな回転の動き、およびゴルフスイングのバックスイング、フォワードスイングおよびフォロースルー段階間のより滑らかな移行を容易にする。スイングのこれらの様々な段階間のより滑らかな移行は、結果的に、ゴルフスイング中の増大したバランス、より小さいエネルギー喪失、したがって増大したパワーとなる。１つの実施形態において、長手方向グルーブ３６０ｅは、幅が２から１５ｍｍまでであり得、好ましくは幅が４から１０ｍｍまでであり得、深さが０．５から６ｍｍまでであり得、好ましくは深さが１から３ｍｍまでであり得、アウトソール３０８の全長の６０％から１００％の長さまで延在し、好ましくはアウトソール３０８の全長の７０％から９５％の長さまで延在する。更なる実施形態において、グルーブ３６０ａ〜３６０ｅの一部または全部は、１つ以上の切欠き部分３６１を有し得、この部分において、各グルーブを形成する材料の一部（例えば、ＴＰＵ）が、下にあるミッドソール材料（例えば、Ｂｏｏｓｔ（登録商標）フォーム）を露出させるために取り除かれている。紙のミシン目によってその紙がミシン目に沿ってより簡単に屈曲することが可能になる方法と同様の形式で、切欠き部分３６１は、グルーブ３６０ａ〜３６０ｅに沿った更なる可撓性および屈曲を容易にする。
【００５８】
本発明の非対称靴の様々な要素は、所望のパフォーマンス、耐久性および快適特性を達成するように、公知の適した材料から作られることが可能である。例えば、１つの実施形態において、後靴２００および前靴３００のアッパー部分２０２および３０２は、それぞれ、通気性極細繊維皮革または同様の材料から作られ得、所望の特性および特質を達成するようにアッパーの様々な部分において厚さを変化させる。別の例として、１つの実施形態において、上述されているミッドソール２０４および３０４は、発泡（ｅｘｐａｎｄｅｄ）ＴＰＵ（ｅＴＰＵ）材料（別名、Ｂｏｏｓｔ（登録商標）フォーム）から作られることが可能である。様々な実施形態に従ってミッドソールおよび／またはアウトソール層を形成するために使用することに適している熱可塑性ポリウレタン（ＴＰＵ）に基づくｅＴＰＵまたは他のフォームは、米国特許出願公開番号２０１０／０２２２４４２Ａ１により詳細に説明されており、この出願公報は、参照により、その全体が本明細書に援用される。加えて、膨張材または推進剤として水を使用するｅＴＰＵの生産についての例示的な方法は、米国特許出願公開番号２０１２／００６５２８５Ａ１に説明されており、この出願公報は、参照により、その全体が本明細書に援用される。いくつかの実施形態において、ミッドソール層は、米国特許出願公開番号２０１０／００４７５５０Ａ１に説明されているような、ＰＵのマトリックスおよびＴＰＵの発泡（ｆｏａｍｅｄ）粒子または他の熱可塑性エラストマを備えるハイブリッド材料を備えることが可能であり、この出願公報は、参照により、その全体が本明細書に援用される。
【００５９】
ミッドソール材料としてＢｏｏｓｔ（登録商標）フォームを使用することのいくつかの例示的な利点は、それが軽量であることであり、スイング中の滑らかなエネルギー移行を促進する優れたエネルギーリターンまたはリバウンド特質を具備する。Ｂｏｏｓｔ（登録商標）フォームは、さらに、結果的に、より軽量の靴とし、これにより、特に着用者がゴルフコースを歩行している場合に、着用者に対する疲労がさらに減少する。Ｂｏｏｓｔ（登録商標）フォームは、さらに、零下の寒さから過酷な暑さまでの動的温度範囲にわたって一貫した敏感なクッション性を提供し、それによって、どんな天候においてもその有利な特質を維持する。
【００６０】
１つの実施形態において、上述されているアウトソール２０６および３０６は、ＥＶＡまたはＴＰＵ材料から作られ得、１つ以上のタイプの熱可塑性ポリウレタン（ＴＰＵ）と併せて成形されることが可能であり、ミッドソール２０４および３０４は、アウトソール２０６および３０６の各ＴＰＵ成形内へＢｏｏｓｔ（登録商標）フォーム材料を注ぐことによって形成されることが可能である。したがって、ミッドソールおよびアウトソール層を備える、本明細書に説明されているソールは、ソールにわたっていて牽引要素を垂れ下がる様式で支持する単一の剛性プラットホームを有する従来のゴルフ靴ソールと比較して、増大した快適さおよびパフォーマンスを提供することが可能である。注がれたミッドソールは、ゴルファーの足の下に耐久性はあるが軟らかく快適な域を提供することが可能であり、セメントまたは他の剛性粘着材料なしに射出成形アウトソールに直接接合することが可能である。下部アウトソールは、耐久性はあるが可撓性の材料を備えることが可能であり、互いから独立して支持される様々な牽引要素を含むことが可能であり、それらの牽引要素がゴルフスイング全体にわたって湾曲して個々に動くことが可能であるようにし、この結果、より多くの牽引要素が常時地面と接触し、ゴルファーの足が動作の更なる自由さおよび更なる快適さを有することを可能にすることが可能となる。加えて、本明細書に説明されているソールは、軽量重合材料、セメントなしの構成材料の直接接合、他の従来のプラットホーム構成要素の欠如、および他の特質の使用により、従来のソールより軽い可能性がある。
【００６１】
他の実施形態において、非対称ゴルフ靴ソールは、ＴＰＵ製でありかつ下部牽引表面を有するアウトソールと、ＰＵまたはｅＴＰＵ製であり、かつゴルファーの足を支持するためにアウトソールの上部表面に接合されるミッドソールとを含む。アウトソールは、第１の硬度を有する第１のＴＰＵ材料と、第１の硬度より小さい第２の硬度を有する第２のＴＰＵ材料とを備えることが可能である。第１のＴＰＵ材料は、アウトソールのつま先端部から、アウトソールの足の前部域の側部面に沿って、アウトソールのアーチ部分にわたって、アウトソールの内側面に沿って、およびアウトソールのヒール端部に向かって延在する曲線状バンドを備えることが可能である。アウトソールは、ミッドソールが陥凹域を満たすようにアウトソールの上部面に沿って陥凹域を画定する上部リムをさらに備えることが可能である。１つの実施形態において、ミッドソールは、中間粘着材料なしにアウトソールに直接接合されることが可能である。ミッドソールは、様々なフォームおよびハイブリッド材料（ＰＵのマトリックス、およびＴＰＵまたはｅＴＰＵの発泡粒子など）を備えることが可能である。本発明により様々なソールおよびソールを作る方法が利用され得、それらなどは、２０１３年１０月２８日に出願された米国仮出願第６１／８９６，４４２号に説明されており、この出願は、参照により、その全体が本明細書に援用される。米国仮出願第６１／８９６，４４２号において、本明明細書に「ミッドソール」として言及されているものが「上部アウトソール」として言及されていることに留意されたい。更なる実施形態において、非対称靴のソールは、米国公開番号２０１３／０２９１４０９Ａ１に説明されている様々な材料層から作られ得、この出願公報は、参照により、その全体が本明細書に援用される。
【００６２】
上述されている様々な実施形態は、ミッドソールに対するＢｏｏｓｔ（登録商標）フォーム材料の使用に焦点を当てているが、本発明の他の実施形態は、ミッドソールに対して特定のタイプの材料を使用することに限定されず、ミッドソールは、ＴＰＵ、ゴム、ＥＶＡなどまたはそのような材料の組み合わせなどの他の適した材料から作られることが可能である。
【００６３】
１つの実施形態において、図１１Ａおよび１１Ｂに対して上述されている牽引区域および牽引要素は、ＧｒｉｐＭｏｒｅ（登録商標）技術を使用して作られることが可能であり、ここで、複数のクリートおよび／または牽引要素は、可撓繊維布またはメッシュ織物裏張りの底面に取り付けられ得る。１つの実施形態において、複数のデュロメータプラスチッククリートは、公知技術によって所定の場所に永久的に保持されるように、繊維布内へ射出される。例えば、高耐久性ＴＰＲ（熱可塑性ゴム）製であることが可能であるクリートは、軽量だが丈夫なメッシュ織物裏張り上へ射出され、固定ボンド用の業務用粘着剤で貼り付けられる。射出されたクリートを有するメッシュ裏打ちは、次いで、アウトソール内の予め画定された領域（一般的にはＴＰＵ）内へ据え付けられ、スポーツ活動要件のとおりに必要な牽引要素を形成するように所定の場所に接着される。
【００６４】
様々な実施形態において、可撓繊維布またはメッシュ裏張りは、公知のプラスチック、ゴムあるいは他の可撓な耐久性材料、またはそのような材料の任意の組み合わせから作られることが可能である。様々な実施形態において、クリートまたは牽引要素は、適したポリウレタン（ＰＵ）材料から作られることが可能である。可撓繊維布は、アウトソールの底面内の予め作られたぎざぎざに取り付けられるように切って形づけられることが可能である。可撓繊維布は、接着、粘着などの任意の適した手段によってアウトソールの底面に永久的に取り付けられることが可能である。ＧｒｉｐＭｏｒｅ（登録商標）技術は、台湾国公開第ＴＷ  Ｍ４１２６３６Ｕ１号により詳細に説明されており、この出願公報は、参照により、その全体が本明細書に援用される。
【００６５】
ＧｒｉｐＭｏｒｅ（登録商標）クリート技術は、クリートを要求する靴に多くの利点を提供する。繊維布は、任意のクリートまたは牽引要素構成を提供するように、限定なしに所望に理想的に形づけられ、予め形成され、設置されることが可能である。加えて、クリートを受容して固定するための従来のクリートレセプタクル構造は、もはや要求されないので、ゴルフ靴の製造コストおよび重量は、有意に減少する。さらに、クリートレセプタクル構造は、もはや要求されないので、アウトソールの底面上のクリートの大きさおよび配置は、ミッドソール層内のレセプタクル構造の利用可能な空間によってもはや限定されない。
【００６６】
１つの実施形態において、図１１Ａおよび１１Ｂの牽引要素２７０および／または３７０は、それぞれ、図１２Ａに示されている２つの異なる部分品４７０ａおよび４７０ｂを有する１つ以上の牽引要素４７０によって取り替えられ得る。１つの実施形態において、２つの異なる部分品４７０ａおよび４７０ｂは、牽引要素（例えば、クリート）４７０の陰影部分４７０ａおよび非陰影部分４７０ｂによって指し示されているように、異なる屈曲または弾性特質を有する。１つの実施形態において、陰影部分４７０ａは、芝生とのより大きな把持の動き、したがってゴルフスイング中のより良い牽引を提供するために、非陰影部分４７０ｂより可撓性がある。牽引要素４７０の非陰影部分４７０ｂは、より剛性であり、例えば歩行中に、牽引要素４７０により良い耐久性を提供する。
【００６７】
図１２Ｂに示されているように、前靴４００の代替的な実施形態は、牽引要素４７０が取り付けられたアウトソール４０８を含む。１つの実施形態において、各牽引要素４７０のより可撓な部分品４７０ａは、概して、牽引要素４７０のより剛性な部分品４７０ｂと比較したときにアウトソール４０８の外周辺縁部により近く位置することが可能である。したがって、牽引要素４７０は、本発明の様々な実施形態に従う非対称ゴルフ靴に対する改善された牽引と耐久性とのバランスを提供する。代替的な実施形態において、牽引要素４７０は、３つ以上の異なる部分品を有することが可能であり、各部分品は、異なる水準の牽引、耐久性および／または他のパフォーマンス特性を達成するように、異なる可撓性または他の機械的特質を有する。牽引要素は、射出成形プロセスおよび／または当該分野において公知の他のプロセスから作られることが可能である。１つの実施形態において、上述されている２つ以上の部分品を有する牽引要素４７０は、ＧｒｉｐＭｏｒｅ（登録商標）技術に関連して上述されている可撓繊維布に永久的に取り付けられる。代替的な実施形態において、そのような牽引要素は、従来のクリートレセプタクルおよび固定構造によってアウトソールの底面に取り付けられ得る。
【００６８】
本発明の非対称な一足の靴の様々な例示的な実施形態が上述されており、各靴のアッパーは、各アッパーの各領域に増大した支持を提供するように構成された特有の支持特徴であって、他のアッパーの対応する鏡像位置に存在しない特有の支持特徴（例えば、向上した支持区域、エナジースリング、オフセットクロージャー、改変されたヒールカウンター、サドルなど）を有する。さらに、非対称な一足における各靴のソールは、各ソールの各領域に増大した牽引を提供するように構成された特有の牽引特徴であって、他のソールの対応する鏡像位置に存在しない特有の牽引特徴（例えば、牽引区域、牽引区域構成、牽引要素、グルーブなど）を有する。上述されているように、前および後靴のアッパー部分およびソール部分は、ゴルフの試合に適用され得る本発明の様々な実施形態に従って、非対称支持特徴および牽引特徴を有し、それぞれ、ゴルフスイング中に前および後靴に適用される異なる力および応力を補償し、それによって、ゴルフスイング中に、各靴のパフォーマンスを最適化して、後および前足の異なる移動を容易にする。
【００６９】
本発明の様々な実施形態が上述されている一方で、限定としてではなく単なる例としてそれらが提示されたことを理解されたい。同様に、提示されている様々な図または図表は、設計例、構造例または構成例を描写し、これは、本発明の１つ以上の実施形態に従う様々な靴組に含まれることが可能である概念、特徴および機能性を理解することを助けるためになされる。本発明は、示された例示的な設計、構造または構成に限定されないが、特定のスポーツ活動（例えば、ゴルフ、野球、陸上競技など）または特定の用途に対して所望されるパフォーマンス特性に依存する様々な代替的な設計、構造および構成を使用して実装されることが可能である。
【００７０】
加えて、個々の実施形態のうちの１つ以上に説明されている様々な特徴および機能性は、それらが説明されている特定の実施形態に対するそれらの適用可能性に限定されないが、代わりに、そのような実施形態が明示的に説明されていようとなかろうとおよび特定の説明された実施形態の一部としてそのような特徴が提示されていようとなかろうと、単独またはいくつかの組み合わせで、本発明の他の実施形態のうちの１つ以上に適用されることが可能であることを理解されたい。したがって、本発明の幅および範囲は、上述されている例示的な実施形態のいずれによっても限定されるべきではないが、提示されている請求項と一致する範囲が与えられるべきである。
【図１】
2016019735.tif 000003
【図２】
2016019735.tif 000004
【図３】
2016019735.tif 000005
【図４】
2016019735.tif 000006
【図５】
2016019735.tif 000007
【図６】
2016019735.tif 000008
【図７】
2016019735.tif 000009
【図８】
2016019735.tif 000010
【図９】
2016019735.tif 000011
【図１０】
2016019735.tif 000012
【図１１】
2016019735.tif 000013
【図１２】
2016019735.tif 000014
【外国語明細書】
2016019735000001.pdf